(57)【要約】  媒体搬送装置（１）は、本体と第１シュータ部材（２５）とサイドガイド（１２１）とサイドガイド連動機構（１２２）とを備えている。第１シュータ部材（２５）に形成される第１シュータ載置面（７５）は、第１シュータ部材（２５）がシュータ展開位置に配置されるときに、上方を向き、第１シュータ部材（２５）がシュータ格納位置に配置されるときに、本体に対向する。サイドガイド連動機構（１２２）は、第１シュータ部材（２５）がシュータ展開位置に配置されるときに、サイドガイド（１２１）をガイド展開位置に配置させ、第１シュータ部材（２５）がシュータ格納位置に配置されるときに、サイドガイド（１２１）をガイド格納位置に配置させる。サイドガイド（１２１）は、ガイド格納位置に配置されているときの第１シュータ載置面（７５）に対する高さが、ガイド展開位置に配置されているときの高さより低い。
2018131117.tif 000002
【特許請求の範囲】
【請求項１】
本体と、
載置面が形成され、前記載置面が上方を向く第１領域に配置されるように、または、前記載置面が前記本体に対向する第２領域に配置されるように、移動可能に前記本体に支持される載置台と、
第３領域または第４領域に配置されるように、移動可能に前記載置台に支持され、前記第４領域に配置されているときの前記載置面に対する高さが、前記第３領域に配置されているときの高さより低く、前記載置面に載置される原稿が移動することを規制するガイドと、
前記載置台が前記第１領域に配置されるときに前記ガイドが前記第３領域に配置されるように、かつ、前記載置台が前記第２領域に配置されるときに前記ガイドが前記第４領域に配置されるように、前記載置台の移動に連動して前記ガイドを移動させる機構
とを備える媒体搬送装置。
【請求項２】
前記ガイドは、前記本体により前記原稿が搬送される方向に垂直である回転軸を中心に回転可能に前記載置台に支持され、
前記ガイドのうちの前記回転軸より前記本体から遠い側の部分の前記載置面に対する高さは、前記ガイドが前記第４領域に配置されているときより、前記ガイドが前記第３領域に配置されているときが高い
請求項１に記載の媒体搬送装置。
【請求項３】
前記機構は、前記載置台が前記第２領域に配置されるときに前記ガイドを前記第４領域に移動させるように前記ガイドに重力を与える錘を有する
請求項２に記載の媒体搬送装置。
【請求項４】
前記機構は、前記載置台が前記第１領域に配置されるときに前記ガイドを前記第３領域に移動させるように弾性力を前記ガイドに与える弾性体をさらに有する
請求項３に記載の媒体搬送装置。
【請求項５】
他の載置面が形成され、前記他の載置面が前記載置面と並べられる第５領域に配置されるように、または、前記他の載置面が前記載置面と重ね合わされる第６領域に配置されるように、移動可能に前記載置台に支持される他の載置台と、
移動可能に前記載置台に支持される中間部材とをさらに備え、
前記機構は、
前記本体に対して前記載置台が前記第１領域と前記第２領域との間を移動する第１運動を前記中間部材が移動する第２運動に変換する第１機構と、
前記第２運動を前記ガイドが前記第３領域と前記第４領域との間を移動する第３運動に変換する第２機構と、
前記第２運動を前記他の載置台が前記第５領域と前記第６領域との間を移動する第３運動に変換する第３機構とを有する
請求項１に記載の媒体搬送装置。
【請求項６】
第１突起と、
第２突起とをさらに備え、
前記機構は、さらに、前記載置台が前記第１領域に配置されるときに前記ガイドが前記第１突起に突き当たるように、かつ、前記載置台が前記第２領域に配置されるときに前記ガイドが前記第２突起に突き当たるように、前記載置台の移動に連動して前記ガイドを移動させ、
前記ガイドは、前記第１突起に突き当たることにより前記第３領域に配置され、前記第２突起に突き当たることにより前記第４領域に配置される
請求項１に記載の媒体搬送装置。
【請求項７】
前記機構は、前記ガイドが前記第１突起に突き当たっているときに前記ガイドを前記第１突起の側に移動させないトルクリミッタを有する
請求項６に記載の媒体搬送装置。
【発明の詳細な説明】
【技術分野】
【０００１】
本開示の技術は、媒体搬送装置に関する。
【背景技術】
【０００２】
原稿の画像を読み取る画像読取装置が知られている。画像読取装置は、原稿が載置される載置台が設けられ、原稿が傾いて給紙されることを防止するサイドガイドが載置台に設けられている。載置台は、開閉可能に支持され、閉じられることにより、画像読取装置の設置スペースの省スペース化や美観向上が図られている。載置台の開閉に連動して姿勢が制御されるサイドガイドが知られている（特許文献１参照）。
【先行技術文献】
【特許文献】
【０００３】
【特許文献１】特開２００７−８６５１号公報
【発明の概要】
【発明が解決しようとする課題】
【０００４】
しかしながら、このようなサイドガイドは、載置台の載置面から突出するように形成されているために、載置台が閉じられるときに、画像読取装置の本体に接触し、画像読取装置の本体に傷をつけ、画像読取装置の美観を損ねてしまうという問題がある。【０００５】
開示の技術は、かかる点に鑑みてなされたものであって、傷つきを防止する媒体搬送装置を提供することを目的とする。
【課題を解決するための手段】
【０００６】
開示の態様では、媒体搬送装置は、本体と、載置面が形成され、前記載置面が上方を向く第１領域に配置されるように、または、前記載置面が前記本体に対向する第２領域に配置されるように、移動可能に前記本体に支持される載置台と、第３領域または第４領域に配置されるように、移動可能に前記載置台に支持され、前記第４領域に配置されているときの前記載置面に対する高さが、前記第３領域に配置されているときの高さより低く、前記載置面に載置される原稿が移動することを規制するガイドと、前記載置台が前記第１領域に配置されるときに前記ガイドが前記第３領域に配置されるように、かつ、前記載置台が前記第２領域に配置されるときに前記ガイドが前記第４領域に配置されるように、前記載置台の移動に連動して前記ガイドを移動させる機構とを備えている。
【発明の効果】
【０００７】
開示の媒体搬送装置は、傷つきを防止することができる。
【図面の簡単な説明】
【０００８】
【図１】図１は、実施例１の媒体搬送装置を示す側面図である。
【図２】図２は、シュータとスタッカとを示す斜視図である。
【図３】図３は、スタッカが格納されているときの媒体搬送装置を示す側面図である。
【図４】図４は、スタッカが格納されているときのスタッカとシュータとを示す斜視図である。
【図５】図５は、シュータが格納されているときの媒体搬送装置を示す側面図である。
【図６】図６は、シュータが格納されているときのスタッカとシュータとを示す斜視図である。
【図７】図７は、搬送装置と読取装置とを示す断面図である。
【図８】図８は、第１連動機構と第２連動機構とを示す断面斜視図である。
【図９】図９は、斜板を示す斜視図である。
【図１０】図１０は、斜板と球部とを示す概略図である。
【図１１】図１１は、第２連動機構を示す斜視図である。
【図１２】図１２は、減速ギアを示す平面図である。
【図１３】図１３は、第１シュータ部材がシュータ格納位置に配置されているときの第２連動機構を示す斜視図である。
【図１４】図１４は、サイドガイドとサイドガイド連動機構とを示す斜視図である。
【図１５】図１５は、サイドガイド連動機構を示す分解斜視図である。
【図１６】図１６は、サイドガイドを示す側面図である。
【図１７】図１７は、第１シュータ部材がシュータ展開位置に配置されているときのサイドガイドを示す断面図である。
【図１８】図１８は、第１シュータ部材がシュータ格納位置に配置されているときのサイドガイドを示す断面図である。
【図１９】図１９は、実施例２の媒体搬送装置のサイドガイド連動機構を示す概略図である。
【図２０】図２０は、実施例２の媒体搬送装置のサイドガイドを示す概略図である。
【図２１】図２１は、第１サイドガイド支持部材が第１中央側位置から第１端側位置に移動する途中のサイドガイドを示す概略図である。
【図２２】図２２は、第１サイドガイド支持部材が第１端側位置に配置されたときのサイドガイドを示す概略図である。
【図２３】図２３は、第２シュータ部材が短縮位置に移動している途中のサイドガイドを示す概略図である。
【図２４】図２４は、第１サイドガイド支持部材が第１端側位置から第１中央側位置に移動する途中のサイドガイドを示す概略図である。
【図２５】図２５は、第１サイドガイド支持部材が第１中央側位置に配置されたときのサイドガイドを示す概略図である。
【図２６】図２６は、実施例３の媒体搬送装置のサイドガイドを示す側面図である。
【図２７】図２７は、実施例３の媒体搬送装置のスライド部材とスライド部材連動機構とを示す平面図である。
【図２８】図２８は、第２シュータ部材が延伸位置に配置されているときの実施例３の媒体搬送装置のスライド部材とスライド部材連動機構とを示す平面図である。
【図２９】図２９は、第２シュータ部材が延伸位置に配置されているときの実施例３の媒体搬送装置のスライド部材とサイドガイドとを示す側面図である。
【図３０】図３０は、実施例４の媒体搬送装置のサイドガイドとサイドガイド連動機構とを示す側面断面図である。
【図３１】図３１は、のれん状部材を示す側面断面図である。
【図３２】図３２は、スライド部材がスライド部材展開位置に配置されているときののれん状部材を示す側面断面図である。
【図３３】図３３は、スライド部材がスライド部材展開位置に配置されているときのサイドガイドとサイドガイド連動機構とを示す側面断面図である。
【図３４】図３４は、実施例５の媒体搬送装置のサイドガイドとサイドガイド連動機構とを示す概略図である。
【図３５】図３５は、第２シュータ部材が延伸位置から短縮位置に移動する途中のサイドガイドとサイドガイド連動機構とを示す概略図である。
【図３６】図３６は、第２シュータ部材が短縮位置に配置されたときのサイドガイドとサイドガイド連動機構とを示す概略図である。
【図３７】図３７は、スライド部材の第１変形例を示す概略図である。
【図３８】図３８は、スライド部材の第２変形例を示す概略図である。
【図３９】図３９は、スライド部材の第３変形例を示す概略図である。
【図４０】図４０は、実施例６の媒体搬送装置のサイドガイドとサイドガイド連動機構とを示す側面断面図である。
【図４１】図４１は、実施例７の媒体搬送装置を示す斜視図である。
【図４２】図４２は、シュータとスタッカとが格納されたときの実施例７の媒体搬送装置を示す斜視図である。
【図４３】図４３は、シュータとスタッカとが格納されたときの実施例７の媒体搬送装置を示す斜視断面図である。
【発明を実施するための形態】
【０００９】
以下に、本願が開示する実施形態にかかる媒体搬送装置について、図面を参照して説明する。なお、以下の記載により本発明が限定されるものではない。また、以下の記載においては、同一の構成要素に同一の符号を付与し、重複する説明を省略する。
【実施例１】
【００１０】
図１は、実施例１の媒体搬送装置１を示す側面図である。媒体搬送装置１は、画像読取装置として利用され、図１に示されているように、筐体２とシュータ３とシュータ支持部５とスタッカ６とスタッカ支持部７とを備えている。筐体２は、箱型に形成され、媒体搬送装置１の本体の外殻を形成している。筐体２は、媒体搬送装置１が設置される設置面に載置される。シュータ３は、板状に形成され、概ね平坦であるシュータ載置面１１が形成されている。シュータ３は、媒体搬送装置１の設置面が水平であるときに、シュータ載置面１１が斜め上方を向き、シュータ載置面１１が媒体搬送装置１の設置面となす角が５５度に等しくなるように、筐体２の奥側（図１で右側）の上部に配置されている。シュータ支持部５は、筐体２に対して回転軸１２を中心にシュータ３が回転することができるように、シュータ３を支持している。回転軸１２は、媒体搬送装置１の設置面に平行であり、かつ、シュータ載置面１１に平行である。シュータ支持部５は、さらに、シュータ載置面１１が媒体搬送装置１の設置面となす角が５５度より小さくならないように、シュータ３が回転することを抑止している。すなわち、シュータ支持部５は、図１に示されているような状態から重力によりシュータ３が回転軸１２を中心に時計回りに回転しないように、シュータ３を支持している。【００１１】
スタッカ６は、板状に形成され、概ね平坦であるスタッカ載置面１５が形成されている。スタッカ６は、スタッカ載置面１５がシュータ載置面１１と概ね平行になるように、筐体２の手前側（図１で左側）の上部に配置されている。すなわち、スタッカ６は、スタッカ載置面１５が斜め上方を向き、スタッカ載置面１５が媒体搬送装置１の設置面となす角が５５度に等しくなるように、配置されている。スタッカ６は、このように配置されることにより、シュータ載置面１１の一部を覆っている。スタッカ支持部７は、筐体２に対して回転軸１６を中心にスタッカ６が回転することができるように、スタッカ６を支持している。回転軸１６は、回転軸１２に平行であり、すなわち、媒体搬送装置１の設置面に平行であり、かつ、スタッカ載置面１５に平行である。スタッカ支持部７は、さらに、スタッカ載置面１５が媒体搬送装置１の設置面となす角が５５度より大きくならないように、スタッカ６が回転することを抑止している。すなわち、スタッカ支持部７は、図１に示されているような状態からスタッカ６が回転軸１６を中心に反時計回りに回転しないように、スタッカ６を支持している。【００１２】
媒体搬送装置１は、スタッカ格納領域１８が形成されている。スタッカ格納領域１８は、筐体２の上部のうちのシュータ３とスタッカ６との間に形成されている。すなわち、スタッカ格納領域１８は、筐体２の上部のうちのスタッカ６の回転軸１６より奥側に配置され、筐体２の上部のうちのシュータ３の回転軸１２より手前側に配置されている。【００１３】
図２は、シュータ３とスタッカ６とを示す斜視図である。媒体搬送装置１は、図２に示されているように、さらに、フレーム２０を備えている。フレーム２０は、媒体搬送装置１の本体に固定され、詳細には、筐体２の内部に配置され、筐体２に固定されている。スタッカ６は、第１スタッカ部材２１と第２スタッカ部材２２と第３スタッカ部材２３とを備えている。第１スタッカ部材２１は、板状に形成され、スタッカ載置面１５の一部である第１スタッカ載置面７１が形成されている。第１スタッカ部材２１は、回転軸１６を中心に回転可能に、スタッカ支持部７によりフレーム２０に支持されている。【００１４】
第２スタッカ部材２２は、第１スタッカ部材２１より薄い板状に形成され、スタッカ載置面１５の一部である第２スタッカ載置面７２が形成されている。第２スタッカ部材２２は、延伸位置または短縮位置に配置されるように、伸縮方向２４に平行に移動可能に、第１スタッカ部材２１に支持されている。伸縮方向２４は、回転軸１６に垂直であり、かつ、スタッカ載置面１５に平行である。第２スタッカ部材２２は、第１スタッカ部材２１の内部から引き出されることにより延伸位置に配置され、第１スタッカ部材２１の内部に押し込まれることにより短縮位置に配置される。第２スタッカ載置面７２は、第２スタッカ部材２２が短縮位置に配置されることにより第１スタッカ載置面７１に重なり、第２スタッカ部材２２が延伸位置に配置されることにより第１スタッカ載置面７１に並ぶ。【００１５】
第３スタッカ部材２３は、第２スタッカ部材２２より薄い板状に形成され、スタッカ載置面１５の一部である第３スタッカ載置面７３が形成されている。第３スタッカ部材２３は、延伸位置または短縮位置に配置されるように、伸縮方向２４に平行に移動可能に、第２スタッカ部材２２に支持されている。第３スタッカ部材２３は、第２スタッカ部材２２の内部から引き出されることにより延伸位置に配置され、第２スタッカ部材２２の内部に押し込まれることにより短縮位置に配置される。第３スタッカ載置面７３は、第３スタッカ部材２３が短縮位置に配置されることにより第２スタッカ載置面７２に重なり、第３スタッカ部材２３が延伸位置に配置されることにより第２スタッカ載置面７２に並ぶ。スタッカ６は、このように形成されることにより、回転軸１６から遠い側のスタッカ端部１７が回転軸１６に接近するように短縮したり、スタッカ端部１７が回転軸１６から遠ざかるように延伸したりするように、伸縮可能に形成されている。【００１６】
スタッカ６は、さらに、図示されていない連動機構を備えている。その連動機構は、第２スタッカ部材２２が第１スタッカ部材２１から引き出されたり第１スタッカ部材２１に押し込まれたりする運動を、第３スタッカ部材２３が第２スタッカ部材２２から引き出されたり第２スタッカ部材２２に押し込まれたりする運動に変換する。すなわち、その連動機構は、第２スタッカ部材２２が第１スタッカ部材２１から引き出される運動を、第３スタッカ部材２３が第２スタッカ部材２２から引き出される運動に機械的に変換する。その連動機構は、さらに、第２スタッカ部材２２が第１スタッカ部材２１に押し込まれる運動を、第３スタッカ部材２３が第２スタッカ部材２２に押し込まれる運動に機械的に変換する。スタッカ６は、このような連動機構を備えることにより、第２スタッカ部材２２が第１スタッカ部材２１から引き出されたり第１スタッカ部材２１に押し込まれたりすることにより、伸縮する。【００１７】
図３は、スタッカ６がスタッカ格納領域１８に格納されているときの媒体搬送装置１を示す側面図である。スタッカ６は、図３に示されているように、短縮されたときに、回転軸１６を中心に回転することにより、スタッカ格納領域１８に配置され、格納される。すなわち、スタッカ支持部７は、スタッカ格納領域１８またはスタッカ展開領域１９にスタッカ６が配置されるように、スタッカ６を移動可能に支持している。スタッカ展開領域１９は、図１でスタッカ６が配置されている領域である。すなわち、スタッカ載置面１５は、スタッカ６がスタッカ展開領域１９に配置されることにより、斜め上方を向き、媒体搬送装置１の設置面となす角が５５度に概ね等しくなる。【００１８】
スタッカ６は、スタッカ格納領域１８に配置されることにより、シュータ載置面１１を露出させ、スタッカ６がスタッカ展開領域１９に配置されているときに比較して、シュータ載置面１１のうちのスタッカ６により覆われる領域の面積を小さくすることができる。すなわち、スタッカ格納領域１８に配置されたスタッカ６をシュータ載置面１１に正射影した図形の面積は、スタッカ展開領域１９に配置されたスタッカ６をシュータ載置面１１に正射影した図形の面積より小さい。【００１９】
図４は、スタッカ６がスタッカ格納領域１８に格納されているときのスタッカ６とシュータ３とを示す斜視図である。シュータ３は、図４に示されているように、第１シュータ部材２５と第２シュータ部材２６と第３シュータ部材２７とを備えている。第１シュータ部材２５は、板状に形成され、シュータ載置面１１の一部である第１シュータ載置面７５が形成されている。第１シュータ部材２５は、シュータ展開位置またはシュータ格納位置に配置されるように、回転軸１２を中心に回転可能に、シュータ支持部５によりフレーム２０に支持されている。第１シュータ部材２５は、シュータ載置面１１が斜め上方を向いているときに、シュータ展開位置に配置されている。【００２０】
第２シュータ部材２６は、第１シュータ部材２５より薄い板状に形成され、シュータ載置面１１の一部である第２シュータ載置面７６が形成されている。第２シュータ部材２６は、延伸位置または短縮位置に配置されるように、伸縮方向２８に平行に移動可能に、第１シュータ部材２５に支持されている。伸縮方向２８は、回転軸１２に垂直であり、かつ、シュータ載置面１１に平行である。第２シュータ部材２６は、第１シュータ部材２５の内部から引き出されることにより延伸位置に配置される。第２シュータ部材２６は、第１シュータ部材２５の内部に押し込まれることにより短縮位置に配置される。第２シュータ載置面７６は、短縮位置に配置されることにより第１シュータ載置面７５に重なり、延伸位置に配置されることにより第１シュータ載置面７５に並ぶ。【００２１】
第３シュータ部材２７は、第２シュータ部材２６より薄い板状に形成され、シュータ載置面１１の一部である第３シュータ載置面７７が形成されている。第３シュータ部材２７は、延伸位置または短縮位置に配置されるように、伸縮方向２８に平行に移動可能に、第２シュータ部材２６に支持されている。第３シュータ部材２７は、第２シュータ部材２６の内部から引き出されることにより延伸位置に配置される。第３シュータ部材２７は、第２シュータ部材２６の内部に押し込まれることにより短縮位置に配置される。第３シュータ載置面７７は、短縮位置に配置されることにより第２シュータ載置面７６に重なり、延伸位置に配置されることにより第２シュータ載置面７６に並ぶ。シュータ３は、このように形成されることにより、回転軸１２から遠い側のシュータ端部１４が回転軸１２に接近するように短縮したり、シュータ端部１４が回転軸１２から遠ざかるように延伸したりするように、伸縮可能に形成されている。【００２２】
図５は、シュータ３が格納されているときの媒体搬送装置１を示す側面図である。図６は、シュータ３が格納されているときのスタッカ６とシュータ３とを示す斜視図である。シュータ３は、図５に示されているように、スタッカ６がスタッカ格納領域１８に格納されている場合で、シュータ３が短縮しているときに、スタッカ６の上部に格納されることができる。すなわち、第３シュータ部材２７は、シュータ３が格納されているときに、短縮位置に配置され、第２シュータ部材２６の内部に押し込まれている。第２シュータ部材２６は、シュータ３が格納されているときに、短縮位置に配置され、第１シュータ部材２５の内部に押し込まれている。第１シュータ部材２５は、シュータ３が格納されているときに、シュータ格納位置に配置され、第１シュータ載置面７５がスタッカ６に対向している。媒体搬送装置１は、シュータ３が格納されることにより、装置高さが小さくなり、小型化される。シュータ３は、格納されることにより、さらに、図６に示されているように、スタッカ６を覆うことができる。【００２３】
図７は、搬送装置３１と読取装置３２とを示す断面図である。媒体搬送装置１は、図７に示されているように、さらに、搬送装置３１と読取装置３２とを備えている。【００２４】
［搬送装置］
搬送装置３１は、筐体２の内部に配置されている。搬送装置３１は、複数の搬送ガイド３３〜３７と切替ガイド３８と複数の搬送ローラ４１〜４７とを備えている。複数の搬送ガイド３３〜３７は、第１搬送ガイド３３と第２搬送ガイド３４と第３搬送ガイド３５と第４搬送ガイド３６と第５搬送ガイド３７とを含んでいる。第１搬送ガイド３３は、概ね平坦である板状に形成されている。第１搬送ガイド３３は、媒体搬送装置１の設置面に概ね平行である平面に沿うように配置され、フレーム２０に固定されている。第２搬送ガイド３４は、概ね平坦である板状に形成されている。第２搬送ガイド３４は、第１搬送ガイド３３に対向するように、第１搬送ガイド３３の上部に配置されている。第２搬送ガイド３４は、さらに、鉛直方向に昇降可能にフレーム２０に支持されている。【００２５】
第３搬送ガイド３５は、概ね板状に形成されている。第３搬送ガイド３５は、第１搬送ガイド３３が沿う平面に沿うように、第１搬送ガイド３３の手前側に配置され、フレーム２０に固定されている。第４搬送ガイド３６は、柱体状に形成され、円柱の側面の一部に沿う凸面が形成されている。第４搬送ガイド３６は、その凸面の一部が第３搬送ガイド３５に対向するように、第３搬送ガイド３５の上部に配置されている。第４搬送ガイド３６は、フレーム２０に固定されている。第５搬送ガイド３７は、柱体状に形成され、円柱の側面の一部に沿う凹面が形成されている。第５搬送ガイド３７は、その凹面が第４搬送ガイド３６の凸面の一部に対向するように第４搬送ガイド３６の手前側に配置されている。【００２６】
搬送装置３１は、複数の搬送ガイド３３〜３７を備えることにより、搬送路６５と搬送路６６とＵターン搬送路６７とストレート搬送路６８とが形成されている。搬送路６５は、第１搬送ガイド３３と第２搬送ガイド３４との間に形成されている。搬送路６５は、媒体搬送装置１の設置面に平行である平面に沿うように形成されている。搬送路６５は、さらに、シュータ３が展開されているときに、シュータ載置面１１に接続されるように形成されている。搬送路６６は、第３搬送ガイド３５と第４搬送ガイド３６との間に形成されている。搬送路６６は、搬送路６５に沿う平面に沿うように形成されている。【００２７】
Ｕターン搬送路６７は、第４搬送ガイド３６と第５搬送ガイド３７との間に形成されている。Ｕターン搬送路６７は、円柱の側面に沿うように形成されている。Ｕターン搬送路６７は、さらに、スタッカ６がスタッカ展開領域１９に配置されているときに、スタッカ載置面１５に接続されるように形成されている。ストレート搬送路６８は、第５搬送ガイド３７の下側に形成されている。ストレート搬送路６８は、搬送路６５が沿う平面に沿うように形成されている。ストレート搬送路６８は、さらに、筐体２の外部に接続されるように形成されている。【００２８】
切替ガイド３８は、概ね板状に形成され、Ｕターンパス案内位置またはストレートパス案内位置に配置されるように、移動可能にフレーム２０に支持されている。切替ガイド３８は、Ｕターンパス案内位置に配置されることにより、搬送路６６をＵターン搬送路６７に接続する。切替ガイド３８は、ストレートパス案内位置に配置されることにより、搬送路６６をストレート搬送路６８に接続する。【００２９】
複数の搬送ローラ４１〜４７は、ピックローラ４１と第１駆動ローラ４２と第１ピンチローラ４３と第２駆動ローラ４４と第２ピンチローラ４５と第３駆動ローラ４６と第３ピンチローラ４７とを含んでいる。ピックローラ４１は、円柱状に形成され、搬送路６５の上部に配置されている。ピックローラ４１は、回転軸５１を中心に回転可能にフレーム２０に支持されている。回転軸５１は、回転軸１２に平行である。ピックローラ４１は、さらに、展開されているシュータ３のシュータ載置面１１に載置される原稿に接触するように、配置されている。シュータ載置面１１に載置されている複数の原稿のうちのピックローラ４１に接触している１つの原稿は、ピックローラ４１が回転軸５１を中心に正転（図７で時計回り）することにより、搬送路６５に搬送される。【００３０】
第１駆動ローラ４２は、円柱状に形成され、搬送路６５の下部のうちのピックローラ４１より手前側に配置されている。第１駆動ローラ４２は、回転軸５２を中心に回転可能にフレーム２０に支持されている。回転軸５２は、回転軸５１に平行である。第１ピンチローラ４３は、円柱状に形成され、第１駆動ローラ４２の上部に配置されている。第１ピンチローラ４３は、回転軸５３を中心に回転可能に、かつ、鉛直方向に昇降可能に、フレーム２０に支持されている。回転軸５３は、回転軸５２に平行である。第１駆動ローラ４２と第１ピンチローラ４３とは、さらに、搬送路６５を搬送される原稿が第１駆動ローラ４２と第１ピンチローラ４３との間に挟まれるように配置されている。搬送路６５を搬送される原稿は、第１駆動ローラ４２が回転軸５２を中心に正転（図７で反時計回り）し、第１ピンチローラ４３により第１駆動ローラ４２に圧着されることにより、搬送路６６に搬送される。第２搬送ガイド３４は、搬送路６５を搬送される原稿が第２搬送ガイド３４に接触することにより、その原稿の厚さに対応する高さに配置されるように、フレーム２０に対して昇降する。すなわち、第２搬送ガイド３４が配置される高さは、搬送路６５を搬送される原稿が厚いほど高い。第１ピンチローラ４３は、搬送路６５を搬送される原稿の厚さに対応する高さに配置されるように昇降する。すなわち、第１ピンチローラ４３が配置される高さは、搬送路６５を搬送される原稿が厚いほど高い。【００３１】
第２駆動ローラ４４は、円柱状に形成され、搬送路６６の下部に配置されている。第２駆動ローラ４４は、回転軸５４を中心に回転可能にフレーム２０に支持されている。回転軸５４は、回転軸５１に平行である。第２ピンチローラ４５は、円柱状に形成され、搬送路６６の上部に配置されている。第２ピンチローラ４５は、回転軸５５を中心に回転可能に、かつ、鉛直方向に昇降可能に、フレーム２０に支持されている。回転軸５５は、回転軸５４に平行である。第２駆動ローラ４４と第２ピンチローラ４５とは、さらに、搬送路６６を搬送される原稿が第２駆動ローラ４４と第２ピンチローラ４５との間に挟まれるように配置されている。搬送路６６を搬送される原稿は、第２駆動ローラ４４が回転軸５４を中心に正転（図７で反時計回り）し、第２ピンチローラ４５により第２駆動ローラ４４に圧着されることにより、Ｕターン搬送路６７またはストレート搬送路６８に搬送される。第２ピンチローラ４５は、搬送路６６を搬送される原稿の厚さに対応する高さに配置されるように昇降する。すなわち、第２ピンチローラ４５が配置される高さは、搬送路６６を搬送される原稿が厚いほど高い。【００３２】
第３駆動ローラ４６は、円柱状に形成され、Ｕターン搬送路６７の手前側に配置されている。第３駆動ローラ４６は、回転軸５６を中心に回転可能にフレーム２０に支持されている。回転軸５６は、回転軸５１に平行である。第３ピンチローラ４７は、円柱状に形成され、第３駆動ローラ４６の奥側に配置されている。第３ピンチローラ４７は、回転軸５７を中心に回転可能にフレーム２０に支持されている。回転軸５７は、回転軸５６に平行である。第３駆動ローラ４６と第３ピンチローラ４７とは、さらに、Ｕターン搬送路６７を搬送される原稿が第３駆動ローラ４６と第３ピンチローラ４７との間に挟まれるように配置されている。Ｕターン搬送路６７を搬送される原稿は、第３駆動ローラ４６が正転（図７で反時計回り）し、第３ピンチローラ４７により第３駆動ローラ４６に圧着されることにより、スタッカ展開領域１９のスタッカ６のスタッカ載置面１５に載置される。【００３３】
搬送装置３１は、このように構成されることにより、シュータ３に載置された複数の原稿のうちの一番上に配置されている原稿を搬送路６５、６６に搬送する。搬送装置３１は、さらに、搬送路６６からＵターン搬送路６７に搬送された原稿をスタッカ６に搬送し、その原稿をスタッカ載置面１５に載置する。このとき、その原稿は、シュータ３に載置されているときにシュータ載置面１１に対向している面が、スタッカ６のスタッカ載置面１５に載置されているときにスタッカ載置面１５に対向している面の裏面である。搬送装置３１は、さらに、搬送路６６からストレート搬送路６８に搬送された原稿を筐体２の外部に排紙する。また、Ｕターン搬送路６７は、ストレート搬送路６８に比較して、屈曲している程度が大きい。このため、Ｕターン搬送路６７を通過する原稿が変形する程度は、ストレート搬送路６８を通過する原稿が変形する程度より大きい。【００３４】
スタッカ６は、さらに、図示されていない他の連動機構を備えている。その連動機構は、ピックローラ４１と第１駆動ローラ４２と第２駆動ローラ４４と第３駆動ローラ４６とが正転すると、回転軸１６を中心に第１スタッカ部材２１を回転させ、第１スタッカ部材２１をスタッカ展開領域１９に配置する。その連動機構は、ピックローラ４１と第１駆動ローラ４２と第２駆動ローラ４４と第３駆動ローラ４６とが正転している最中に、第１スタッカ部材２１がスタッカ展開領域１９に配置されるように、第１スタッカ部材２１を保持する。その連動機構は、ピックローラ４１と第１駆動ローラ４２と第２駆動ローラ４４と第３駆動ローラ４６とが逆転すると、回転軸１６を中心に第１スタッカ部材２１を回転させ、第１スタッカ部材２１をスタッカ格納領域１８に配置する。【００３５】
［読取装置］
読取装置３２は、筐体２の内部のうちの搬送路６５と搬送路６６との間に配置されている。読取装置３２は、下側画像センサ６１と上側画像センサ６２とを備えている。下側画像センサ６１は、搬送路６５と搬送路６６とが沿う平面の下側に配置され、フレーム２０に固定されている。下側画像センサ６１は、ＣＩＳ（Ｃｏｎｔａｃｔ  Ｉｍａｇｅ  Ｓｅｎｓｏｒ）タイプのイメージセンサから形成されている。下側画像センサ６１は、搬送路６５から搬送路６６に搬送される原稿の下側の読取面に接触し、その読取面を照明し、その読取面を反射した光を受光することにより、その読取面の画像を読み取る。上側画像センサ６２は、搬送路６５と搬送路６６とが沿う平面の上側に配置され、鉛直方向に平行に移動可能にフレーム２０に支持されている。上側画像センサ６２は、ＣＩＳタイプのイメージセンサから形成されている。上側画像センサ６２は、搬送路６５から搬送路６６に搬送される原稿の上側の読取面を照明し、その読取面を反射した光を受光することにより、その読取面の画像を読み取る。【００３６】
図８は、第１連動機構８１と第２連動機構８２とを示す断面斜視図である。シュータ３は、図８に示されているように、第１連動機構８１と第２連動機構８２とを備えている。第１連動機構８１は、第１ラック８３と複数の歯車８４とを備え、図示されていない第２ラックを備えている。第１ラック８３は、伸縮方向２８に平行である直線に沿って配置され、第１シュータ部材２５に固定されている。第２ラックは、伸縮方向２８に平行である直線に沿って配置され、第３シュータ部材２７に固定されている。【００３７】
複数の歯車８４は、それぞれ、円板状に形成され、外周に複数の歯が形成されている。複数の歯車８４は、それぞれ、互いに複数の歯が噛み合うように配置され、第２シュータ部材２６に回転可能に支持されている。複数の歯車８４は、互いに複数の歯が噛み合っていることにより、複数の歯車８４のうちの１つの歯車が回転するときに、全部が回転する。複数の歯車８４のうちの１つの歯車８５は、第１ラック８３に噛み合っている。複数の歯車８４のうちの他の１つの歯車８６は、第２ラックに噛み合っている。【００３８】
第１連動機構８１は、このように形成されることにより、第２シュータ部材２６が第１シュータ部材２５から引き出される運動を、第３シュータ部材２７が第２シュータ部材２６から引き出される運動に機械的に変換する。第１連動機構８１は、さらに、第２シュータ部材２６が第１シュータ部材２５に押し込まれる運動を、第３シュータ部材２７が第２シュータ部材２６に押し込まれる運動に機械的に変換する。第１連動機構８１は、さらに、第３シュータ部材２７が第２シュータ部材２６から引き出される運動を、第２シュータ部材２６が第１シュータ部材２５から引き出される運動に機械的に変換する。第１連動機構８１は、さらに、第３シュータ部材２７が第２シュータ部材２６に押し込まれる運動を、第２シュータ部材２６が第１シュータ部材２５に押し込まれる運動に機械的に変換する。【００３９】
第１連動機構８１は、このように形成されることにより、さらに、第２シュータ部材２６が配置される位置に対応する位置に第３シュータ部材２７を配置する。たとえば、第１連動機構８１は、第２シュータ部材２６が短縮位置に配置されるときに、第３シュータ部材２７を短縮位置に配置する。第１連動機構８１は、第２シュータ部材２６が延伸位置に配置されるときに、第３シュータ部材２７を延伸位置に配置する。第１連動機構８１は、さらに、第３シュータ部材２７が配置される位置に対応する位置に第２シュータ部材２６を配置する。たとえば、第１連動機構８１は、第３シュータ部材２７が短縮位置に配置されるときに、第２シュータ部材２６を短縮位置に配置する。第１連動機構８１は、第３シュータ部材２７が延伸位置に配置されるときに、第２シュータ部材２６を延伸位置に配置する。【００４０】
第２連動機構８２は、レバー９１と扇型歯車９２と減速ギア９３とギア９４とラック９５とを備えている。レバー９１は、棒状に形成されている。レバー９１は、レバー展開位置またはレバー格納位置に配置されるように、回転軸９６を中心に回転可能に第１シュータ部材２５に支持されている。回転軸９６は、シュータ載置面１１に垂直である。扇型歯車９２は、扇型ギア展開位置または扇型ギア格納位置に配置されるように、回転軸９７を中心に回転可能に第１シュータ部材２５に支持されている。回転軸９７は、シュータ載置面１１に垂直である。減速ギア９３は、減速ギア展開位置または減速ギア格納位置に配置されるように、回転軸９８を中心に回転可能に第１シュータ部材２５に支持されている。回転軸９８は、シュータ載置面１１に垂直である。ギア９４は、ギア展開位置またはギア格納位置に配置されるように、回転軸９９を中心に回転可能に第１シュータ部材２５に支持されている。回転軸９９は、シュータ載置面１１に垂直である。ラック９５は、伸縮方向２８に平行である直線に沿って配置され、第２シュータ部材２６に固定されている。【００４１】
図９は、斜板１０１を示す斜視図である。第２連動機構８２は、図９に示されているように、斜板１０１をさらに備えている。斜板１０１は、フレーム２０に固定されている。斜板１０１は、ガイド面１０２が形成されている。ガイド面１０２は、回転軸１２に対して傾斜するように形成され、すなわち、回転軸１２に平行でなく、かつ、回転軸１２に垂直でない。レバー９１は、球部１０３を備えている。球部１０３は、レバー９１の一端に配置され、レバー９１に固定されている。【００４２】
図１０は、斜板１０１と球部１０３とを示す概略図である。斜板１０１は、フレーム２０に固定されていることにより、第１シュータ部材２５が回転軸１２を中心に回転するときに、第１シュータ部材２５に対して移動する。すなわち、斜板１０１は、第１シュータ部材２５がシュータ展開位置に配置されるときに斜板展開位置に配置され、第１シュータ部材２５がシュータ格納位置に配置されるときに斜板格納位置に配置される。レバー９１は、斜板１０１が第１シュータ部材２５に対して移動するときに、球部１０３が斜板１０１のガイド面１０２を摺動することにより、回転軸９６を中心に回転する。このとき、レバー９１は、斜板１０１が斜板展開位置に配置されるときに、レバー展開位置に配置される。【００４３】
図１１は、第２連動機構８２を示す斜視図である。レバー９１は、レバー格納位置に配置されている場合で、斜板１０１が斜板格納位置から斜板展開位置に移動するときに、回転軸９６を中心に図１１で時計回りに回転することにより、レバー展開位置に配置される。レバー９１は、摺動部１０４を備えている。摺動部１０４は、レバー９１のうちの球部１０３が形成されている一端の反対側の他端に固定されている。【００４４】
扇型歯車９２は、摺動面１０５と複数の歯１０６とが形成されている。摺動面１０５は、概ね平坦に形成されている。扇型歯車９２は、扇型ギア格納位置に配置されている場合で、レバー９１が回転軸９６を中心に図１１で時計回りに回転するときに、レバー９１の摺動部１０４が摺動面１０５に摺動することにより、図１１で反時計回りに回転する。扇型歯車９２は、レバー９１がレバー展開位置に配置されるときに、扇型ギア展開位置に配置される。【００４５】
扇型歯車９２は、ばね１０７を備えている。ばね１０７は、弾性体から形成され、一端が扇型歯車９２に固定され、他端が第１シュータ部材２５に固定されている。ばね１０７は、扇型歯車９２が回転軸９７を中心に図１１で時計回りに回転するように、弾性力を扇型歯車９２に与えている。すなわち、扇型歯車９２は、斜板１０１が斜板格納位置に配置されるときに、ばね１０７から弾性力が与えられることにより、扇型ギア格納位置に移動する。レバー９１は、斜板１０１が斜板格納位置に配置される場合で、扇型歯車９２が図１１で時計回りに回転するときに、摺動部１０４が摺動面１０５を摺動することにより、扇型歯車９２が図１１で反時計回りに回転する。レバー９１は、斜板１０１が斜板格納位置に配置される場合で、扇型歯車９２が扇型ギア格納位置に配置されるときに、レバー格納位置に配置される。【００４６】
ギア９４は、円板状に形成され、外周に複数の歯１０８が形成されている。ラック９５は、ギア９４に対向する側に複数の歯１０９が形成されている。複数の歯１０９は、複数の歯１０８に噛み合っている。第２シュータ部材２６は、ギア９４の複数の歯１０９がラック９５の複数の歯１０８に噛み合っていることにより、ギア９４が回転するときに、伸縮方向２８に平行に平行移動する。第２シュータ部材２６は、ギア９４がギア展開位置に配置されるときに延伸位置に配置され、ギア９４がギア格納位置に配置されるときに短縮位置に配置される。【００４７】
図１２は、減速ギア９３を示す平面図である。減速ギア９３は、図１２に示されているように、小歯車１１１と大歯車１１２とを備えている。小歯車１１１は、円板状に形成され、外周に複数の歯１１４が形成されている。複数の歯１１４は、扇型歯車９２の複数の歯１０６に噛み合っている。大歯車１１２は、小歯車１１１より径が大きい円板状に形成され、外周に複数の歯１１５が形成されている。複数の歯１１５は、ギア９４の複数の歯１０８に噛み合っている。大歯車１１２は、小歯車１１１に固定されている。【００４８】
減速ギア９３は、複数の歯１１４が扇型歯車９２の複数の歯１０６に噛み合っていることにより、扇型歯車９２が回転するときに、回転軸９８を中心に回転する。減速ギア９３は、扇型歯車９２が扇型ギア展開位置に配置されるときに減速ギア展開位置に配置され、扇型歯車９２が扇型ギア格納位置に配置されるときに減速ギア格納位置に配置される。ギア９４は、複数の歯１１５がギア９４の複数の歯１０８に噛み合っていることにより、減速ギア９３が回転するときに、回転軸９９を中心に回転する。ギア９４は、減速ギア９３が減速ギア展開位置に配置されるときにギア展開位置に配置され、減速ギア９３が減速ギア格納位置に配置されるときにギア格納位置に配置される。【００４９】
図１３は、第１シュータ部材２５がシュータ格納位置に配置されているときの第２連動機構８２を示す斜視図である。第２連動機構８２は、第１シュータ部材２５がシュータ格納位置に配置されているときに、図１３に示されているように、第２シュータ部材２６を短縮位置に配置する。すなわち、斜板１０１は、第１シュータ部材２５がシュータ格納位置に配置されることにより、斜板格納位置に配置されている。扇型歯車９２は、斜板１０１が斜板格納位置に配置され、ばね１０７の弾性力が与えられていることにより、扇型ギア格納位置に配置される。レバー９１は、扇型歯車９２が扇型ギア格納位置に配置されることにより、レバー格納位置に配置される。減速ギア９３は、扇型歯車９２が扇型ギア格納位置に配置されることにより、減速ギア格納位置に配置される。ギア９４は、減速ギア９３が減速ギア格納位置に配置されることにより、ギア格納位置に配置される。第２シュータ部材２６は、ギア９４がギア格納位置に配置されることにより、短縮位置に配置される。第３シュータ部材２７は、第２シュータ部材２６が短縮位置に配置されることにより、短縮位置に配置される。【００５０】
第２連動機構８２は、第１シュータ部材２５がシュータ展開位置に配置されているときに、図８に示されているように、第２シュータ部材２６を延伸位置に配置する。すなわち、斜板１０１は、第１シュータ部材２５がシュータ展開位置に配置されることにより、斜板展開位置に配置される。レバー９１は、斜板１０１が斜板展開位置に配置されることにより、レバー展開位置に配置される。扇型歯車９２は、レバー９１がレバー展開位置に配置されることにより、扇型ギア展開位置に配置される。減速ギア９３は、扇型歯車９２が扇型ギア展開位置に配置されることにより、減速ギア展開位置に配置される。ギア９４は、減速ギア９３が減速ギア展開位置に配置されることにより、ギア展開位置に配置される。第２シュータ部材２６は、ギア９４がギア展開位置に配置されることにより、延伸位置に配置される。第３シュータ部材２７は、第２シュータ部材２６が延伸位置に配置されることにより、延伸位置に配置される。【００５１】
［サイドガイド］
図１４は、サイドガイド１２１とサイドガイド連動機構１２２とを示す斜視図である。媒体搬送装置１は、図１４に示されているように、サイドガイド１２１とサイドガイド連動機構１２２とを備えている。サイドガイド１２１は、ガイド面が形成されている。サイドガイド１２１は、第１シュータ部材２５の第１シュータ載置面７５から突出するように配置され、さらに、そのガイド面が沿う平面が、第１シュータ載置面７５が沿う平面に垂直であり、かつ、伸縮方向２８に平行であるように、配置されている。【００５２】
図１５は、サイドガイド連動機構１２２を示す分解斜視図である。サイドガイド連動機構１２２は、図１５に示されているように、サイドガイド支持部材１２４とばね１２５と錘１２６とを備えている。サイドガイド支持部材１２４は、左右方向１２３に移動可能に第１シュータ部材２５に支持されている。左右方向１２３は、第１シュータ部材２５の回転軸１２に平行であり、すなわち、第１シュータ載置面７５が沿う平面に平行であり、かつ、伸縮方向２８に垂直である。ばね１２５は、弾性体から形成されている。ばね１２５は、一端がサイドガイド支持部材１２４に固定され、他端がサイドガイド１２１に固定されている。【００５３】
図１６は、サイドガイド１２１を示す側面図である。サイドガイド１２１は、図１６に示されているように、帯状に形成され、長手方向が伸縮方向２８に概ね平行になるように、配置されている。サイドガイド１２１は、ガイド展開位置またはガイド格納位置に配置されるように、回転軸１２７を中心に回転可能にサイドガイド支持部材１２４に支持されている。回転軸１２７は、サイドガイド１２１の長手方向の概ね中央に配置され、左右方向１２３に平行である。サイドガイド１２１は、錘保持部１２８が形成されている。錘保持部１２８は、サイドガイド１２１のうちの第１シュータ部材２５の回転軸１２に近い側の端に配置されている。錘１２６は、錘保持部１２８に接合されている。錘１２６は、錘保持部１２８に接合されることにより、錘１２６に与えられる重力をサイドガイド１２１に与えている。【００５４】
図１７は、第１シュータ部材２５がシュータ展開位置に配置されているときのサイドガイド１２１を示す断面図である。ばね１２５は、サイドガイド１２１が図１７で反時計周りに回転するように、弾性力をサイドガイド１２１に常時与えている。錘１２６は、第１シュータ部材２５がシュータ展開位置に配置されているときに、回転軸１２７の下方に配置されている。錘１２６の重力のうちのサイドガイド１２１を回転する分力は、錘１２６が回転軸１２７の下方に配置されていることにより、比較的小さい。このため、サイドガイド１２１は、第１シュータ部材２５がシュータ展開位置に配置されているときに、図１７で反時計周りに回転するように外力が与えられる。【００５５】
サイドガイド１２１は、第１シュータ部材２５がシュータ展開位置に配置されているときに、図１７に示されているように、サイドガイド１２１がガイド展開位置に配置される。サイドガイド１２１は、サイドガイド１２１がガイド展開位置に配置されることにより、第１シュータ載置面７５に対する高さが比較的高くなる。その高さは、サイドガイド１２１のうちの第１シュータ部材２５の回転軸１２から遠い側の端１２９から第１シュータ載置面７５までの距離に等しい。すなわち、端１２９は、サイドガイド１２１がガイド展開位置に配置されるときに、サイドガイド１２１のうちの第１シュータ載置面７５から最も離れている部分である。サイドガイド支持部材１２４は、さらに、サイドガイド１２１がガイド展開位置に配置されるときに、サイドガイド１２１が図１７で時計回りに回転しないように、サイドガイド１２１の回転を規制している。【００５６】
図１８は、第１シュータ部材２５がシュータ格納位置に配置されているときのサイドガイド１２１を示す断面図である。錘１２６は、第１シュータ部材２５がシュータ格納位置に配置されているときに、第１シュータ部材２５がシュータ展開位置に配置されているときに比較して、回転軸１２７から水平方向に離れている。錘１２６の重力のうちのサイドガイド１２１を回転する分力は、錘１２６が回転軸１２７から水平方向に離れていることにより、比較的大きい。このため、サイドガイド１２１は、第１シュータ部材２５がシュータ格納位置に配置されているときに、図１８で時計周りに回転するように外力が与えられる。錘１２６は、第１シュータ部材２５がシュータ格納位置に配置されているときに錘１２６がサイドガイド１２１を回転させる力がばね１２５の弾性力より大きくなるように、重さが設計されている。【００５７】
サイドガイド１２１は、第１シュータ部材２５がシュータ格納位置に配置されているときに、図１８に示されているように、サイドガイド１２１がガイド格納位置に配置される。サイドガイド１２１は、サイドガイド１２１がガイド格納位置に配置されることにより、サイドガイド１２１がガイド展開位置に配置されるときに比較して、第１シュータ載置面７５に対する高さが低くなる。すなわち、端１２９は、サイドガイド１２１がガイド展開位置からガイド格納位置に移動することにより、第１シュータ載置面７５に接近する。サイドガイド１２１は、サイドガイド１２１がガイド格納位置に配置されたときに、スタッカ格納領域１８に配置されるスタッカ６に接触しないように、設計されている。サイドガイド支持部材１２４は、さらに、サイドガイド１２１がガイド格納位置に配置されるときに、サイドガイド１２１が図１８で時計回りに回転しないように、サイドガイド１２１の回転を規制している。【００５８】
媒体搬送装置１は、他のサイドガイドと他のサイドガイド連動機構とをさらに備えている。そのサイドガイドは、サイドガイド１２１と同様にして形成され、サイドガイド１２１とともに一対のサイドガイドを形成している。そのサイドガイドは、ガイド面がサイドガイド１２１のガイド面に対向するように、配置されている。そのサイドガイド連動機構は、サイドガイド連動機構１２２と同様にして形成されている。そのサイドガイド連動機構は、そのサイドガイドがサイドガイド１２１と同期して移動するように、そのサイドガイドを移動させる。そのサイドガイド連動機構は、第１シュータ部材２５がシュータ格納位置に配置されているときにそのサイドガイドをガイド格納位置に配置し、第１シュータ部材２５がシュータ展開位置に配置されているときにそのサイドガイドをガイド展開位置に配置する。【００５９】
［実施例１の媒体搬送装置１の動作］
ユーザは、媒体搬送装置１を用いて原稿の画像を読み取りたいときに、まず、シュータ３が展開されるように、第１シュータ部材２５をシュータ展開位置に移動させる。第２連動機構８２は、第１シュータ部材２５がシュータ展開位置に移動すると、第２シュータ部材２６を延伸位置に移動させる。すなわち、斜板１０１は、第１シュータ部材２５がシュータ展開位置に移動することにより、斜板展開位置に移動する。レバー９１は、斜板１０１が斜板展開位置に移動することにより、レバー展開位置に移動する。扇型歯車９２は、レバー９１がレバー展開位置に移動することにより、扇型ギア展開位置に移動する。減速ギア９３は、扇型歯車９２が扇型ギア展開位置に移動することにより、減速ギア展開位置に移動する。ギア９４は、減速ギア９３が減速ギア展開位置に移動することにより、ギア展開位置に移動する。第２シュータ部材２６は、ギア９４がギア展開位置に移動することにより、延伸位置に移動する。第３シュータ部材２７は、第２シュータ部材２６が延伸位置に移動することにより、延伸位置に移動する。第１連動機構８１は、第２シュータ部材２６が延伸位置に移動することにより、第３シュータ部材２７を第２シュータ部材２６の内部から引き出し、第３シュータ部材２７を延伸位置に移動させる。【００６０】
サイドガイド１２１は、第１シュータ部材２５がシュータ展開位置に配置されると、第１シュータ載置面７５に対する高さが高くなる。すなわち、サイドガイド１２１は、第１シュータ部材２５がシュータ展開位置に配置されるときに、ばね１２５の弾性力により、回転軸１２７を中心に回転し、ガイド展開位置に配置される。【００６１】
ユーザは、シュータ３が展開して延伸した後に、サイドガイド１２１を含む一対のサイドガイドを左右方向１２３に平行移動させ、媒体搬送装置１を用いて読み取りたい原稿が一対のサイドガイドの間に挟まれるように、原稿をシュータ載置面１１に載置する。ユーザは、原稿をシュータ載置面１１に載置した後に、シュータ３に載置された原稿の画像が媒体搬送装置１により読み取られるように、媒体搬送装置１を操作する。【００６２】
搬送装置３１は、ユーザにより媒体搬送装置１が操作されると、ピックローラ４１と第１駆動ローラ４２と第２駆動ローラ４４と第３駆動ローラ４６とを正転させる。スタッカ６は、ピックローラ４１と第１駆動ローラ４２と第２駆動ローラ４４と第３駆動ローラ４６とが正転すると、展開して延伸する。搬送装置３１は、ピックローラ４１が正転することにより、シュータ載置面１１に載置されている複数の原稿を１枚ずつシュータ載置面１１から搬送路６５に搬送する。このとき、一対のサイドガイドは、ガイド面が原稿の端に摺動することにより、原稿が斜行して媒体搬送装置１に給紙されることを防止する。【００６３】
第１ピンチローラ４３は、原稿に接触すると、原稿が搬送される力により回転し、原稿を第１駆動ローラ４２に圧着させる。第１駆動ローラ４２に圧着された原稿は、第１駆動ローラ４２が正転していることにより、搬送路６５を搬送される。搬送路６５を搬送された原稿は、読取装置３２に供給される。このとき、搬送路６５を搬送された原稿は、下側画像センサ６１と上側画像センサ６２との間に案内され、次いで、搬送路６６に供給される。搬送路６６に供給された原稿は、第２ピンチローラ４５により第２駆動ローラ４４に圧着され、第２駆動ローラ４４が正転していることにより、搬送路６６を搬送される。【００６４】
読取装置３２は、原稿が搬送路６５と搬送路６６との間を搬送されるときに、下側画像センサ６１がその原稿の下側の読取面に接触してその読取面の画像を読み取り、上側画像センサ６２がその原稿の上側の読取面に接触してその読取面の画像を読み取る。【００６５】
搬送装置３１は、搬送路６５を搬送される原稿の厚さが所定の閾値より小さいときに切替ガイド３８をＵターンパス案内位置に配置し、その原稿の厚さが所定の閾値より大きいときに切替ガイド３８をストレートパス案内位置に配置する。切替ガイド３８は、Ｕターンパス案内位置に配置されているときに、搬送路６６を搬送された原稿をＵターン搬送路６７に案内する。Ｕターン搬送路６７に案内された原稿は、第３ピンチローラ４７により第３駆動ローラ４６に圧着され、第３駆動ローラ４６が正転していることにより、Ｕターン搬送路６７を搬送され、スタッカ６のスタッカ載置面１５に載置される。切替ガイド３８は、ストレートパス案内位置に配置されているときに、搬送路６６を搬送された原稿をストレート搬送路６８に案内する。搬送装置３１は、ストレート搬送路６８に案内された原稿を筐体２の外部に排紙する。【００６６】
搬送装置３１は、Ｕターン搬送路６７またはストレート搬送路６８を介して原稿が排紙され、シュータ３に載置される原稿がなくなると、ピックローラ４１と第１駆動ローラ４２と第２駆動ローラ４４と第３駆動ローラ４６とを逆転させる。スタッカ６は、ピックローラ４１と第１駆動ローラ４２と第２駆動ローラ４４と第３駆動ローラ４６とが逆転することにより、短縮し、スタッカ格納領域１８に格納される。【００６７】
厚さが所定の閾値より小さい原稿としては、紙が例示される。このような原稿は、可撓性を有し、Ｕターン搬送路６７を搬送された場合でも、屈曲癖がつきにくく、Ｕターン搬送路６７で紙詰まりが発生しにくい。厚さが所定の閾値より大きい原稿としては、厚紙、クレジットカード等のプラスチック製カードが例示される。このような原稿は、Ｕターン搬送路６７を搬送されたときに、屈曲癖がつきやすく、または、Ｕターン搬送路６７で紙詰まりが発生し易い。このような動作によれば、媒体搬送装置１は、厚手の原稿がＵターン搬送路６７を搬送されないでストレート搬送路６８を介して排紙されることにより、原稿に屈曲癖がつきにくく、Ｕターン搬送路６７で紙詰まりが発生しにくい。【００６８】
ユーザは、スタッカ６がスタッカ格納領域１８に格納されているときに、シュータ３が格納されるように、第１シュータ部材２５をシュータ格納位置に配置することができる。第２連動機構８２は、第１シュータ部材２５がシュータ格納位置に移動すると、第２シュータ部材２６を短縮位置に移動させる。すなわち、斜板１０１は、第１シュータ部材２５がシュータ格納位置に移動することにより、斜板格納位置に移動する。ばね１０７は、斜板１０１が斜板格納位置に配置されているときに、扇型歯車９２に弾性力を与えることにより、扇型歯車９２を扇型ギア格納位置に移動させる。レバー９１は、斜板１０１が斜板格納位置に配置され、扇型歯車９２が扇型ギア格納位置に移動することにより、レバー格納位置に移動する。【００６９】
減速ギア９３は、扇型歯車９２が扇型ギア格納位置に移動することにより、減速ギア格納位置に移動する。ギア９４は、減速ギア９３が減速ギア格納位置に移動することにより、ギア格納位置に移動する。ラック９５は、ギア９４がギア格納位置に移動することにより、第２シュータ部材２６を第１シュータ部材２５の内部に押し込み、第２シュータ部材２６を短縮位置に移動させる。第１連動機構８１は、第２シュータ部材２６が短縮位置に移動することにより、第３シュータ部材２７を第２シュータ部材２６の内部に押し込み、第３シュータ部材２７を短縮位置に移動させる。【００７０】
サイドガイド１２１は、第１シュータ部材２５がシュータ格納位置に配置されると、第１シュータ載置面７５に対する高さが低くなる。すなわち、サイドガイド１２１は、第１シュータ部材２５がシュータ格納位置に配置されるときに、錘１２６の重力により、回転軸１２７を中心に回転し、ガイド格納位置に配置される。サイドガイド１２１は、第１シュータ部材２５がシュータ格納位置に配置されたときに、サイドガイド１２１がガイド格納位置に配置されることにより、スタッカ格納領域１８に配置されているスタッカ６に接触しない。サイドガイド１２１は、スタッカ６に接触しないことにより、スタッカ６を傷つけることがなく、スタッカ６の美観を損ねることを防止することができる。【００７１】
［実施例１の媒体搬送装置１の効果］
実施例１の媒体搬送装置１は、本体と第１シュータ部材２５とサイドガイド１２１とサイドガイド連動機構１２２とを備えている。第１シュータ部材２５は、第１シュータ載置面７５が形成されている。第１シュータ部材２５は、シュータ展開位置またはシュータ格納位置に配置されるように、移動可能に本体に支持されている。第１シュータ載置面７５は、第１シュータ部材２５がシュータ展開位置に配置されるときに、上方を向き、第１シュータ部材２５がシュータ格納位置に配置されるときに、本体に対向する。サイドガイド１２１は、ガイド展開位置またはガイド格納位置に配置されるように、移動可能に第１シュータ部材２５に支持されている。サイドガイド１２１は、ガイド格納位置に配置されているときの第１シュータ載置面７５に対する高さが、ガイド展開位置に配置されているときの高さより低い。サイドガイド１２１は、ガイド展開位置に配置されているときに、第１シュータ載置面７５に載置される原稿が移動することを規制する。サイドガイド連動機構１２２は、第１シュータ部材２５の移動に連動してサイドガイド１２１を移動させる。すなわち、サイドガイド連動機構１２２は、第１シュータ部材２５がシュータ展開位置に配置されるときに、サイドガイド１２１をガイド展開位置に配置させる。サイドガイド連動機構１２２は、さらに、第１シュータ部材２５がシュータ格納位置に配置されるときに、サイドガイド１２１をガイド格納位置に配置させる。サイドガイド１２１は、ガイド格納位置に配置されている場合で、第１シュータ部材２５がシュータ格納位置に配置されるときに、サイドガイド１２１が媒体搬送装置１の他の部分（たとえば、スタッカ６）に接触しないように形成されている。【００７２】
このような媒体搬送装置１は、第１シュータ部材２５がシュータ格納位置に配置されたときに、サイドガイド１２１の高さを低くすることにより、サイドガイド１２１が媒体搬送装置１の他の部分（たとえば、スタッカ６）に接触することを防止することができる。このような媒体搬送装置１は、サイドガイド１２１が媒体搬送装置１の他の部分に接触することを防止することにより、その部分に傷がつくことを防止することができる。【００７３】
また、実施例１の媒体搬送装置１のサイドガイド１２１は、本体により原稿が搬送される方向に垂直である回転軸１２７を中心に回転可能に第１シュータ部材２５に支持されている。サイドガイド１２１のうちの本体から遠い側の端１２９の第１シュータ載置面７５に対する高さは、サイドガイド１２１がガイド格納位置に配置されているときより、サイドガイド１２１がガイド展開位置に配置されているときの方が高い。【００７４】
このような媒体搬送装置１は、第１シュータ部材２５がシュータ展開位置に配置されたときにサイドガイド１２１の端１２９が高くなることにより、本体に近い側の端が高い他のサイドガイドに比較して、原稿の斜行を適切に防止することができる。【００７５】
また、実施例１の媒体搬送装置１のサイドガイド連動機構１２２は、第１シュータ部材２５がシュータ格納位置に配置されるときにサイドガイド１２１をガイド格納位置に移動させるようにサイドガイド１２１に重力を与える錘１２６を備えている。【００７６】
このような媒体搬送装置１は、錘１２６を用いてサイドガイド１２１を移動させることにより、サイドガイド連動機構１２２の構造を簡素化することができ、容易に作製されることができ、製造コストを低減することができる。【００７７】
ところで、実施例１の媒体搬送装置１のサイドガイド連動機構１２２は、錘１２６を備えているが、第１シュータ部材２５がシュータ格納位置に配置される場合でサイドガイド１２１が自重でガイド格納位置に移動するときに、錘１２６を省略してもよい。【００７８】
また、実施例１の媒体搬送装置１のサイドガイド連動機構１２２は、第１シュータ部材２５がシュータ展開位置に配置されるときにサイドガイド１２１をガイド展開位置に移動させるように弾性力をサイドガイド１２１に与えるばね１２５をさらに備えている。【００７９】
このような媒体搬送装置１は、ばね１２５と錘１２６とを用いてサイドガイド１２１を移動させることにより、サイドガイド連動機構１２２の構造を簡素化することができ、容易に作製されることができ、製造コストを低減することができる。【００８０】
ところで、実施例１の媒体搬送装置１のサイドガイド連動機構１２２は、ばね１２５を備えているが、第１シュータ部材２５がシュータ展開位置に配置される場合でサイドガイド１２１が自重でガイド展開位置に移動するときに、ばね１２５を省略してもよい。
【実施例２】
【００８１】
実施例２の媒体搬送装置は、既述の実施例１の媒体搬送装置１のサイドガイド連動機構１２２が他のサイドガイド連動機構に置換され、サイドガイド１２１が他のサイドガイドに置換されている。図１９は、実施例２の媒体搬送装置のサイドガイド連動機構１３１を示す概略図である。サイドガイド連動機構１３１は、図１９に示されているように、第２連動機構８２を備えている。サイドガイド連動機構１３１は、複数の歯車１３２とトルクリミッタ１３３と第１サイドガイド支持部材１３４と第１ラック１３５と第２サイドガイド支持部材１３６と第２ラック１３７とをさらに備えている。複数の歯車１３２は、それぞれ、円板状に形成され、外周に複数の歯が形成されている。複数の歯車１３２は、それぞれ、互いに複数の歯が噛み合うように配置され、第１シュータ部材２５に回転可能に支持されている。複数の歯車１３２は、互いに複数の歯が噛み合っていることにより、複数の歯車１３２のうちの１つの歯車が回転するときに、全部が回転する。【００８２】
トルクリミッタ１３３は、歯車１３８を備えている。歯車１３８の外周に形成される複数の歯は、扇型歯車９２の複数の歯１０６に噛み合う。トルクリミッタ１３３は、扇型歯車９２の回転を複数の歯車１３２のうちの１つの歯車１３９に伝達する。トルクリミッタ１３３は、さらに、歯車１３８から歯車１３９に伝達されるトルクの絶対値が所定の値を超えるときに、歯車１３８の回転を歯車１３９に伝達することを遮断する。【００８３】
第１サイドガイド支持部材１３４は、第１中央側位置または第１端側位置に配置されるように、左右方向１２３に平行に移動可能に第１シュータ部材２５に支持されている。第１ラック１３５は、棒状に形成され、複数の歯が形成されている。第１ラック１３５は、左右方向１２３に平行である直線に沿うように配置され、第１サイドガイド支持部材１３４に固定されている。このため、第１ラック１３５は、第１サイドガイド支持部材１３４とともに、第１シュータ部材２５に対して左右方向１２３に平行に移動する。第１ラック１３５の複数の歯は、複数の歯車１３２のうちの他の１つの歯車１４０の複数の歯に噛み合っている。第１ラック１３５は、歯車１４０が回転することにより、第１シュータ部材２５に対して左右方向１２３に平行に移動する。【００８４】
第２サイドガイド支持部材１３６は、第２中央側位置または第２端側位置に配置されるように、左右方向１２３に平行に移動可能に第１シュータ部材２５に支持されている。第２ラック１３７は、棒状に形成され、複数の歯が形成されている。第２ラック１３７は、左右方向１２３に平行である直線に沿うように配置され、第２サイドガイド支持部材１３６に固定されている。このため、第２ラック１３７は、第２サイドガイド支持部材１３６とともに、第１シュータ部材２５に対して左右方向１２３に平行に移動する。第２ラック１３７の複数の歯は、歯車１４０の複数の歯に噛み合っている。第２ラック１３７は、歯車１４０が回転することにより、第１シュータ部材２５に対して左右方向１２３に平行に移動する。【００８５】
サイドガイド連動機構１３１は、第１突起１４１と第２突起１４２と第３突起１４３とをさらに備えている。第１突起１４１は、第１サイドガイド支持部材１３４が第１端側位置に配置されているときに、第１サイドガイド支持部材１３４の近傍に配置されるように、第１シュータ部材２５に固定されている。第２突起１４２は、第２サイドガイド支持部材１３６が第２端側位置に配置されているときに、第２サイドガイド支持部材１３６の近傍に配置されるように、第１シュータ部材２５に固定されている。第３突起１４３は、第２シュータ部材２６に固定され、第２シュータ部材２６とともに移動するように形成されている。第３突起１４３は、第２シュータ部材２６が短縮位置に配置されている場合で、第１サイドガイド支持部材１３４が第１端側位置に配置されているときに、第１サイドガイド支持部材１３４の近傍に配置される。第３突起１４３は、第２シュータ部材２６が短縮位置に配置されている場合で、第２サイドガイド支持部材１３６が第２端側位置に配置されているときに、第２サイドガイド支持部材１３６の近傍に配置される。【００８６】
図２０は、実施例２の媒体搬送装置のサイドガイド１５１を示す概略図である。サイドガイド１５１は、図２０に示されているように、サイドガイド本体１５２と摺動部分１５３とを備えている。サイドガイド本体１５２は、帯状に形成され、ガイド面１５５が形成されている。摺動部分１５３は、サイドガイド本体１５２の一方の面から第１シュータ部材２５の側に突出するように形成され、サイドガイド本体１５２に固定されている。サイドガイド１５１は、ガイド展開位置またはガイド格納位置に配置されるように、回転軸１５４を中心に回転可能に第１サイドガイド支持部材１３４に支持されている。回転軸１５４は、伸縮方向２８に平行である。サイドガイド本体１５２は、サイドガイド１５１がガイド格納位置に配置されているときに、第１シュータ部材２５の第１シュータ載置面７５に平行である平面に沿うように、かつ、ガイド面１５５が第１シュータ載置面７５に対向するように、配置される。【００８７】
摺動部分１５３は、サイドガイド１５１がガイド格納位置に配置されているときに、第１シュータ部材２５の内部に配置されている。摺動部分１５３は、サイドガイド１５１がガイド格納位置に配置されている場合で、第２サイドガイド支持部材１３６が第２端側位置に向かって移動するときに、第１突起１４１に向かって移動するように、形成されている。【００８８】
図２１は、第１サイドガイド支持部材１３４が第１中央側位置から第１端側位置に移動する途中のサイドガイド１５１を示す概略図である。サイドガイド１５１は、第１サイドガイド支持部材１３４が第１中央側位置から第１端側位置に移動する途中で、図２１に示されているように、摺動部分１５３が第１突起１４１に衝突する。サイドガイド１５１は、摺動部分１５３が第１突起１４１に衝突することにより、回転軸１５４を中心に図２１で反時計回りに回転する。【００８９】
図２２は、第１サイドガイド支持部材１３４が第１端側位置に配置されたときのサイドガイド１５１を示す概略図である。サイドガイド１５１は、第１サイドガイド支持部材１３４が第１端側位置に配置されたときに、図２２に示されているように、摺動部分１５３が第１突起１４１に押されることにより、ガイド展開位置に配置される。サイドガイド本体１５２は、サイドガイド１５１がガイド展開位置に配置されているときに、第１シュータ部材２５の第１シュータ載置面７５に垂直である平面に沿うように配置される。【００９０】
図２３は、第２シュータ部材２６が短縮位置に移動している途中のサイドガイド１５１を示す概略図である。摺動部分１５３は、さらに、第２シュータ部材２６が短縮位置に移動している途中で、第２サイドガイド支持部材１３６が第２中央側位置に向かって移動するときに、図２３に示されているように、第３突起１４３に向かって移動するように、形成されている。【００９１】
図２４は、第１サイドガイド支持部材１３４が第１端側位置から第１中央側位置に移動する途中のサイドガイド１５１を示す概略図である。サイドガイド１５１は、第１サイドガイド支持部材１３４が第１端側位置から第１中央側位置に移動する途中で、図２４に示されているように、摺動部分１５３が第３突起１４３に衝突する。サイドガイド１５１は、摺動部分１５３が第３突起１４３に衝突することにより、回転軸１５４を中心に図２４で時計回りに回転する。【００９２】
図２５は、第１サイドガイド支持部材１３４が第１中央側位置に配置されたときのサイドガイド１５１を示す概略図である。サイドガイド１５１は、第１サイドガイド支持部材１３４が第１中央側位置に配置されたときに、図２５に示されているように、摺動部分１５３が第３突起１４３に押されることにより、ガイド格納位置に配置される。サイドガイド本体１５２は、サイドガイド１５１がガイド格納位置に配置されているときに、第１シュータ部材２５の第１シュータ載置面７５に平行である平面に沿うように配置される。【００９３】
このため、サイドガイド本体１５２の第１シュータ載置面７５に対する高さは、サイドガイド１５１がガイド展開位置に配置されているときに比較して、サイドガイド１５１がガイド格納位置に配置されているときの方が低くなる。サイドガイド本体１５２は、サイドガイド１５１がガイド格納位置に配置されている場合で、第１シュータ部材２５がシュータ格納位置に配置されたときに、スタッカ６に接触しない程度に低くなるように、形成されている。【００９４】
実施例２の媒体搬送装置は、他のサイドガイドをさらに備えている。そのサイドガイドは、サイドガイド１５１と同様にして形成され、サイドガイド１５１とともに一対のサイドガイドを形成している。すなわち、そのサイドガイドは、ガイド面が形成され、回転可能に第２サイドガイド支持部材１３６に支持されている。そのサイドガイドは、第２サイドガイド支持部材１３６が第２端側位置に配置されたときに、第２突起１４２に押されることにより、ガイド展開位置に配置される。そのサイドガイドは、ガイド展開位置に配置されるときに、そのガイド面がサイドガイド１５１のガイド面１５５に対向する。そのサイドガイドは、第２サイドガイド支持部材１３６が第２中央側位置に配置されたときに、第３突起１４３に押されることにより、ガイド格納位置に配置される。そのサイドガイドは、ガイド格納位置に配置されるときに、ガイド面が第１シュータ部材２５の第１シュータ載置面７５に対向する。【００９５】
［サイドガイド連動機構１３１の動作］
サイドガイド連動機構１３１は、第１シュータ部材２５がシュータ展開位置に移動すると、サイドガイド１５１をガイド展開位置に移動させる。すなわち、扇型歯車９２は、第１シュータ部材２５がシュータ展開位置に移動することにより、扇型ギア展開位置に移動する。トルクリミッタ１３３の歯車１３８は、扇型歯車９２が扇型ギア展開位置に移動することにより、回転する。トルクリミッタ１３３は、歯車１３８の回転を複数の歯車１３２のうちの歯車１３９に伝達する。複数の歯車１３２は、歯車１３９が回転することにより、全部が回転する。第１ラック１３５は、複数の歯車１３２の歯車１４０が回転することにより、第１サイドガイド支持部材１３４を第１端位置に移動させる。サイドガイド１５１は、第１サイドガイド支持部材１３４が第１端位置に配置されることにより、摺動部分１５３が第１突起１４１に押され、ガイド展開位置に配置される。サイドガイド連動機構１３１は、第１シュータ部材２５がシュータ展開位置に移動することにより、さらに、サイドガイド１５１と同様にして、サイドガイド１５１と対をなすサイドガイドをガイド展開位置に配置する。一対のサイドガイドは、ガイド展開位置に配置されるときに、シュータ３に載置される原稿の端がガイド面１５５に摺動することにより、原稿が斜行して媒体搬送装置に給紙されることを防止する。【００９６】
サイドガイド連動機構１３１は、第１シュータ部材２５がシュータ格納位置に移動すると、サイドガイド１５１をガイド格納位置に移動させる。すなわち、扇型歯車９２は、第１シュータ部材２５がシュータ格納位置に移動することにより、扇型ギア格納位置に移動する。トルクリミッタ１３３の歯車１３８は、扇型歯車９２が扇型ギア格納位置に移動することにより、回転する。トルクリミッタ１３３は、歯車１３８の回転を複数の歯車１３２のうちの歯車１３９に伝達する。複数の歯車１３２は、歯車１３９が回転することにより、全部が回転する。第１ラック１３５は、複数の歯車１３２の歯車１４０が回転することにより、第１サイドガイド支持部材１３４を第１中央位置に移動させる。サイドガイド１５１は、第１サイドガイド支持部材１３４が第１中央位置に配置されることにより、摺動部分１５３が第３突起１４３に押され、ガイド格納位置に配置される。サイドガイド連動機構１３１は、第１シュータ部材２５がシュータ格納位置に移動することにより、さらに、サイドガイド１５１と同様にして、サイドガイド１５１と対をなすサイドガイドをガイド格納位置に配置する。【００９７】
第１サイドガイド支持部材１３４は、サイドガイド１５１が第３突起１４３に押されてガイド展開位置に配置されることにより、移動が停止する。複数の歯車１３２は、第１サイドガイド支持部材１３４の移動が停止することにより、回転が停止する。トルクリミッタ１３３は、複数の歯車１３２の回転が停止することにより、歯車１３８の回転を歯車１３９に伝達することを遮断する。サイドガイド連動機構１３１は、トルクリミッタ１３３が回転の伝達を遮断することにより、サイドガイド１５１が初期的に中央に寄っていた場合でも、複数の歯車１３２の歯飛び等を防止することができ、破損を防止することができる。【００９８】
一対のサイドガイドは、それぞれ、ガイド格納位置に配置されることにより、第１シュータ部材２５がシュータ格納位置に配置された場合でも、スタッカ６に接触しないで、スタッカ６を傷つけることが防止される。【００９９】
［実施例２の媒体搬送装置の効果］
実施例２の媒体搬送装置は、第２シュータ部材２６と第１サイドガイド支持部材１３４とをさらに備えている。第２シュータ部材２６は、第２シュータ載置面７６が形成されている。第２シュータ部材２６は、延伸位置または短縮位置に配置されるように、移動可能に第１シュータ部材２５に支持されている。第２シュータ載置面７６は、第２シュータ部材２６が延伸位置に配置されるときに、第１シュータ載置面７５と並べられ、第２シュータ部材２６が短縮位置に配置されるときに、第１シュータ載置面７５と重ね合わされる。第１サイドガイド支持部材１３４は、移動可能に第１シュータ部材２５に支持されている。サイドガイド連動機構１３１は、複数の歯車１３２と第１ラック１３５と第１突起１４１と第３突起１４３と第２連動機構８２とを備えている。複数の歯車１３２と第１ラック１３５とは、本体に対して第１シュータ部材２５がシュータ展開位置とシュータ格納位置との間を移動する運動を、第１サイドガイド支持部材１３４が移動する運動に変換する。第１突起１４１と第３突起１４３とは、第１サイドガイド支持部材１３４の運動をサイドガイド１５１がガイド展開位置とガイド格納位置との間を移動する運動に変換する。第２連動機構８２は、第１サイドガイド支持部材１３４の運動を第２シュータ部材２６が延伸位置と短縮位置との間を移動する運動に変換する。【０１００】
このような媒体搬送装置は、サイドガイド１５１を移動させるサイドガイド連動機構１３１が、第１シュータ部材２５を伸縮させる第２連動機構８２と一部が兼用されていることにより、部品点数を少なくすることができ、製造コストを低減することができる。【０１０１】
また、実施例２の媒体搬送装置のサイドガイド連動機構１３１は、第１突起１４１と第３突起１４３とをさらに備えている。サイドガイド連動機構１３１は、第１シュータ部材２５がシュータ展開位置に配置されるときにサイドガイド１５１が第１突起１４１に突き当たるように、第１シュータ部材２５の移動に連動してサイドガイド１５１を移動させる。サイドガイド連動機構１３１は、さらに、第１シュータ部材２５がシュータ格納位置に配置されるときにサイドガイド１５１が第３突起１４３に突き当たるように、第１シュータ部材２５の移動に連動してサイドガイド１５１を移動させる。サイドガイド１５１は、第１突起１４１に突き当たることによりガイド展開位置に配置され、第３突起１４３に突き当たることによりガイド格納位置に配置される。【０１０２】
このような媒体搬送装置は、第１突起１４１と第３突起１４３とを用いてサイドガイド１５１を移動させることにより、サイドガイド連動機構１３１の構造を簡素化することができ、容易に作製されることができ、製造コストを低減することができる。【０１０３】
また、実施例２の媒体搬送装置のサイドガイド連動機構１３１は、トルクリミッタ１３３をさらに備えている。トルクリミッタ１３３は、サイドガイド１５１が第１突起１４１に突き当たっているときにサイドガイド１５１を移動させないで、サイドガイド１５１が第１突起１４１に突き当たっていないときにサイドガイド１５１を第１突起１４１の側に移動させる。【０１０４】
このような媒体搬送装置は、サイドガイド連動機構１３１にトルクリミッタ１３３が設けられていることにより、たとえば、複数の歯車１３２の歯飛び等を防止することができ、サイドガイド連動機構１３１の破損を防止することができる。
【実施例３】
【０１０５】
実施例３の媒体搬送装置は、既述の実施例１の媒体搬送装置１のサイドガイド１２１が他のサイドガイドに置換され、スライド部材とスライド部材連動機構とが追加されている。図２６は、実施例３の媒体搬送装置のサイドガイド１６１を示す側面図である。サイドガイド１６１は、図２６に示されているように、サイドガイド本体１６２と摺動部分１６３とを備え、図示されていないばねを備えている。サイドガイド本体１６２は、帯状に形成され、ガイド面１６４が形成されている。サイドガイド本体１６２は、第１シュータ部材２５の第１シュータ載置面７５から突出するように配置され、ガイド面１６４が左右方向１２３に垂直になるように配置されている。サイドガイド１６１は、ガイド格納位置またはガイド展開位置に配置されるように、回転軸１６５を中心に回転可能に第１シュータ部材２５に支持されている。回転軸１６５は、左右方向１２３に平行である。ばねは、サイドガイド本体１６２がガイド格納位置に配置されるように、サイドガイド本体１６２に弾性力を与えている。【０１０６】
摺動部分１６３は、摺動面１６６が形成されている。摺動部分１６３は、第１シュータ部材２５の内部に配置され、サイドガイド１６１に固定されている。【０１０７】
図２７は、実施例３の媒体搬送装置のスライド部材１７０とスライド部材連動機構１７１とを示す平面図である。スライド部材１７０は、図２７に示されているように、帯状に形成され、第１シュータ部材２５の内部に配置されている。スライド部材連動機構１７１は、第１リンク１７２と第２リンク１７３と第１スライダ１７４と第２スライダ１７５と第３スライダ１７６と第４スライダ１７７と第１ボス１７８と第２ボス１７９とを備えている。第１リンク１７２は、棒状に形成され、第１シュータ部材２５の内部に配置されている。第２リンク１７３は、棒状に形成され、第１シュータ部材２５の内部に配置されている。第１スライダ１７４は、第１リンク１７２の一端が第２シュータ部材２６の回転軸１２に近い側の一辺に沿って移動可能に、第１リンク１７２の一端を支持している。第２スライダ１７５は、第１リンク１７２の他端がスライド部材１７０の長手方向に沿って移動可能に、第１リンク１７２の他端を支持している。第３スライダ１７６は、第２リンク１７３の一端が第２シュータ部材２６の回転軸１２に近い側の一辺に沿って移動可能に、第２リンク１７３の一端を支持している。第４スライダ１７７は、第２リンク１７３の他端がスライド部材１７０の長手方向に沿って移動可能に、第２リンク１７３の他端を支持している。第１ボス１７８は、第１リンク１７２に接触するように第１シュータ部材２５の内部に配置され、第１シュータ部材２５の内部に固定されている。第２ボス１７９は、第２リンク１７３に接触するように第１シュータ部材２５の内部に配置され、第１シュータ部材２５の内部に固定されている。スライド部材連動機構１７１は、このように形成されることにより、スライド部材１７０がスライド部材展開位置またはスライド部材格納位置に配置されるように、伸縮方向２８に平行に移動可能にスライド部材１７０を支持している。【０１０８】
スライド部材１７０は、第２シュータ部材２６が短縮位置に配置されているときに、スライド部材格納位置に配置されている。スライド部材１７０は、スライド部材格納位置に配置されるときに、第１シュータ部材２５の内部のうちの回転軸１２の側の端に配置される。スライド部材１７０は、スライド部材格納位置に配置されるときに、サイドガイド１６１の摺動部分１６３に接触していない。【０１０９】
図２８は、第２シュータ部材２６が延伸位置に配置されているときの実施例３の媒体搬送装置のスライド部材１７０とスライド部材連動機構１７１とを示す平面図である。スライド部材連動機構１７１は、第２シュータ部材２６が延伸位置に配置されるときに、図２８に示されているように、スライド部材１７０をスライド部材展開位置に配置する。すなわち、第１スライダ１７４は、第２シュータ部材２６が延伸位置に移動するときに、第２シュータ部材２６とともに、第１リンク１７２の一端を回転軸１２から遠い側に移動させる。第３スライダ１７６は、第２シュータ部材２６が延伸位置に移動するときに、第２シュータ部材２６とともに、第２リンク１７３の一端を回転軸１２から遠い側に移動させる。第１リンク１７２は、一端が回転軸１２から遠い側に移動するときに、第１ボス１７８に接触し、図２８で時計回りに回転する。第１スライダ１７４は、第１リンク１７２が回転することにより、第１リンク１７２の一端を第２シュータ部材２６の一辺に沿って移動させる。第２リンク１７３は、一端が回転軸１２から遠い側に移動するときに、第２ボス１７９に接触し、図２８で反時計回りに回転する。第３スライダ１７６は、第２リンク１７３が回転することにより、第２リンク１７３の一端を第２シュータ部材２６の一辺に沿って移動させる。【０１１０】
第２スライダ１７５は、第１リンク１７２が回転することにより、第１リンク１７２の他端をスライド部材１７０に沿って移動させる、第４スライダ１７７は、第２リンク１７３が回転することにより、第２リンク１７３の他端をスライド部材１７０に沿って移動させる、第２スライダ１７５は、第１リンク１７２が回転軸１２から遠い側に移動することにより、スライド部材１７０を回転軸１２から遠い側に移動させる。第４スライダ１７７は、第２リンク１７３が回転軸１２から遠い側に移動することにより、スライド部材１７０を回転軸１２から遠い側に移動させる。【０１１１】
図２９は、第２シュータ部材２６が延伸位置に配置されているときの実施例３の媒体搬送装置のスライド部材１７０とサイドガイド１６１とを示す側面図である。スライド部材１７０は、第２シュータ部材２６が延伸位置に配置されるときに、図２９に示されているように、スライド部材展開位置に配置される。スライド部材１７０は、スライド部材展開位置に配置されるときに、サイドガイド１６１の摺動部分１６３の摺動面１６６に突き当たっている。サイドガイド１６１は、スライド部材１７０が摺動部分１６３に突き当たることにより、回転軸１６５を中心に図２９で時計回りに回転し、ガイド展開位置に配置される。【０１１２】
スライド部材連動機構１７１は、第２シュータ部材２６が短縮位置に配置されるときに、図２７に示されているように、スライド部材１７０をスライド部材格納位置に配置する。すなわち、第１スライダ１７４は、第２シュータ部材２６が短縮位置に移動することにより、第１リンク１７２の一端を回転軸１２に近い側に移動させる。第３スライダ１７６は、第２シュータ部材２６が短縮位置に移動することにより、第２リンク１７３の一端を回転軸１２に近い側に移動させる。第２スライダ１７５は、第１リンク１７２の一端が回転軸１２に近い側に移動するときに、スライド部材１７０を回転軸１２に近い側に移動させる。第４スライダ１７７は、第２リンク１７３の一端が回転軸１２に近い側に移動するときに、スライド部材１７０を回転軸１２に近い側に移動させる。スライド部材１７０は、回転軸１２に近い側に移動することにより、スライド部材格納位置に配置される。【０１１３】
第１リンク１７２は、一端が回転軸１２に近い側にさらに移動することにより、図２７で反時計回りに回転する。第２リンク１７３は、一端が回転軸１２に近い側にさらに移動することにより、図２７で時計回りに回転する。第１スライダ１７４は、第１リンク１７２が回転することにより、第１リンク１７２の一端を第２シュータ部材２６の一辺に沿って移動させる。第２スライダ１７５は、第１リンク１７２が回転することにより、第１リンク１７２の他端をスライド部材１７０に沿って移動させる。第３スライダ１７６は、第２リンク１７３が回転することにより、第２リンク１７３の一端を第２シュータ部材２６の一辺に沿って移動させる。第４スライダ１７７は、第２リンク１７３が回転することにより、第２リンク１７３の他端をスライド部材１７０に沿って移動させる。【０１１４】
スライド部材１７０は、スライド部材格納位置に配置されるときに、サイドガイド１６１の摺動部分１６３から離れる。サイドガイド１６１は、スライド部材１７０が摺動部分１６３から離れることにより、ばねの弾性力で回転軸１６５を中心に図２９で反時計回りに回転し、ガイド格納位置に配置される。【０１１５】
スライド部材連動機構１７１は、このように形成されることにより、第２シュータ部材２６の移動距離がスライド部材１７０の移動距離より長い場合でも、第２シュータ部材２６に連動してスライド部材１７０を適切に移動させることができる。【０１１６】
サイドガイド本体１６２の第１シュータ載置面７５に対する高さは、サイドガイド１６１がガイド展開位置に配置されているときに比較して、サイドガイド１６１がガイド格納位置に配置されているときの方が低くなる。サイドガイド本体１６２は、サイドガイド１６１がガイド格納位置に配置されている場合で、第１シュータ部材２５がシュータ格納位置に配置されたときに、スタッカ６に接触しない程度に低くなるように、形成されている。【０１１７】
実施例３の媒体搬送装置は、第２シュータ部材２６に連動してスライド部材１７０を移動させることにより、実施例１の媒体搬送装置１と同様にして、第１シュータ部材２５が格納位置に配置されるときに、サイドガイド１６１を低くすることができる。実施例３の媒体搬送装置は、第１シュータ部材２５が格納位置に配置されるときに、サイドガイド１６１を低くすることにより、サイドガイド１６１がスタッカ６に接触することを防止し、スタッカ６が傷つくことを防止することができる。なお、サイドガイド１６１は、スライド部材１７０がスライド部材格納位置に配置される場合でサイドガイド本体１６２が自重でガイド格納位置に配置されるときに、ばねが省略されてもよい。
【実施例４】
【０１１８】
実施例４の媒体搬送装置は、既述の実施例１の媒体搬送装置１のサイドガイド１２１が他のサイドガイドに置換され、サイドガイド連動機構１２２が他のサイドガイド連動機構に置換されている。図３０は、実施例４の媒体搬送装置のサイドガイド１８１とサイドガイド連動機構１８２とを示す側面断面図である。サイドガイド１８１は、図３０に示されているように、サイドガイド本体１８３と突起部分１８４とを備えている。サイドガイド本体１８３は、帯状に形成され、ガイド面１８０が形成されている。サイドガイド本体１８３は、第１シュータ載置面７５から突出するように配置され、ガイド面１８０が左右方向１２３に垂直になるように配置されている。突起部分１８４は、第１シュータ部材２５の内部に配置され、サイドガイド本体１８３に固定されている。【０１１９】
サイドガイド本体１８３は、さらに、ガイド格納位置またはガイド展開位置に配置されるように、回転軸１８５を中心に回転可能に第１シュータ部材２５に支持されている。サイドガイド１８１は、さらに、図示されていないばねを備えている。ばねは、回転軸１８５を中心にサイドガイド本体１８３を図３０で反時計回りに回転するように、弾性力をサイドガイド本体１８３に与えている。【０１２０】
サイドガイド連動機構１８２は、スライド部材１８６とのれん状部材１８７とを備えている。スライド部材１８６は、板状に形成され、第２シュータ部材２６に固定されている。スライド部材１８６は、第２シュータ部材２６が短縮位置に配置されているときにスライド部材格納位置に配置され、第２シュータ部材２６が延伸位置に配置されているときにスライド部材展開位置に配置される。【０１２１】
図３１は、のれん状部材１８７を示す側面断面図である。のれん状部材１８７は、図３１に示されているように、板状に形成され、第１シュータ部材２５の内部に配置されている。のれん状部材１８７は、スライド部材１８６がスライド部材格納位置に配置されるときに、スライド部材１８６に接触するように、配置されている。のれん状部材１８７は、回転軸１８８を中心に回転可能に第１シュータ部材２５に支持されている。回転軸１８８は、左右方向１２３に平行である。のれん状部材１８７は、さらに、回転軸１８８を中心に回転することにより、突起部分１８４に接触したり突起部分１８４から離れたりするように配置されている。【０１２２】
図３２は、スライド部材１８６がスライド部材展開位置に配置されているときののれん状部材１８７を示す側面断面図である。のれん状部材１８７は、スライド部材１８６がスライド部材展開位置に配置されているときに、図３２に示されているように、スライド部材１８６から離れている。のれん状部材１８７は、スライド部材１８６から離れることにより、回転軸１８８を中心に図３２で反時計回りに回転可能になる。【０１２３】
図３３は、スライド部材１８６がスライド部材展開位置に配置されているときのサイドガイド１８１とサイドガイド連動機構１８２とを示す側面断面図である。サイドガイド本体１８３は、図３３に示されているように、のれん状部材１８７が回転可能になったことにより、ばねの弾性力により図３３で反時計回りに回転し、ガイド展開位置に配置される。【０１２４】
サイドガイド連動機構１８２は、第２シュータ部材２６が短縮位置に移動するときに、サイドガイド本体１８３をガイド格納位置に移動させる。すなわち、スライド部材１８６は、第２シュータ部材２６が短縮位置に配置されることにより、スライド部材格納位置に配置される。のれん状部材１８７は、スライド部材１８６がスライド部材格納位置に移動することにより、スライド部材１８６に押し上げられ、回転軸１８８を中心に図３１で時計回りに回転する。サイドガイド１８１は、のれん状部材１８７が回転することにより、突起部分１８４がのれん状部材１８７に押され、回転軸１８５を中心に図３３で時計回りに回転し、ガイド格納位置に配置される。【０１２５】
サイドガイド本体１８３の第１シュータ載置面７５に対する高さは、サイドガイド１８１がガイド展開位置に配置されているときに比較して、サイドガイド１８１がガイド格納位置に配置されているときの方が低くなる。サイドガイド本体１８３は、サイドガイド１８１がガイド格納位置に配置されている場合で、第１シュータ部材２５がシュータ格納位置に配置されたときに、スタッカ６に接触しない程度に低くなるように、形成されている。【０１２６】
実施例４の媒体搬送装置は、実施例１の媒体搬送装置１と同様にして、第１シュータ部材２５が格納位置に配置されるときに、サイドガイド１８１を低くすることができる。実施例４の媒体搬送装置は、第１シュータ部材２５が格納位置に配置されるときに、サイドガイド１８１を低くすることにより、サイドガイド１８１がスタッカ６に接触することを防止し、スタッカ６が傷つくことを防止することができる。
【実施例５】
【０１２７】
実施例５の媒体搬送装置は、既述の実施例４の媒体搬送装置のサイドガイド１２１が他のサイドガイドに置換され、サイドガイド連動機構１２２が他のサイドガイド連動機構に置換されている。図３４は、実施例５の媒体搬送装置のサイドガイド１９１とサイドガイド連動機構１９２とを示す概略図である。サイドガイド１９１は、図３４に示されているように、サイドガイド本体１９３と摺動部分１９４とを備えている。サイドガイド本体１９３は、板状に形成され、ガイド面１９５が形成されている。摺動部分１９４は、屈曲した板状に形成され、サイドガイド本体１９３に固定されている。【０１２８】
サイドガイド１９１は、ガイド格納位置またはガイド展開位置に配置されるように、回転軸１９６を中心に回転可能に第１シュータ部材２５に支持されている。回転軸１９６は、伸縮方向２８に平行である。サイドガイド本体１９３は、ガイド格納位置に配置されるときに、ガイド面１９５が第１シュータ部材２５の第１シュータ載置面７５に対向するように配置される。サイドガイド本体１９３は、ガイド展開位置に配置されるときに、ガイド面１９５が左右方向１２３に垂直になるように配置される。【０１２９】
サイドガイド連動機構１９２は、ばね１９９とストッパ１９７とを備えている。ばね１９９は、サイドガイド１９１がガイド展開位置に移動されるように（図３４で時計回りに回転するように）、サイドガイド１９１に弾性力を与えている。ストッパ１９７は、サイドガイド１９１が展開位置に配置されているときに、サイドガイド１９１が図３４で時計回りにさらに回転しないように、サイドガイド１９１の回転を規制している。【０１３０】
図３５は、第２シュータ部材２６が延伸位置から短縮位置に移動する途中のサイドガイド１９１とサイドガイド連動機構１９２とを示す概略図である。サイドガイド連動機構１９２は、図３５に示されているように、スライド部材１９８をさらに備えている。スライド部材１９８は、第１シュータ部材２５の内部に配置され、第２シュータ部材２６に固定されている。スライド部材１９８は、第２シュータ部材２６が延伸位置から短縮位置に移動する途中に、サイドガイド１９１の摺動部分１９４に接触するように形成されている。スライド部材１９８は、第２シュータ部材２６が短縮位置に移動する場合で、サイドガイド１９１の摺動部分１９４に接触した後に、摺動部分１９４に摺動することにより、回転軸１９６を中心にサイドガイド１９１を回転させる。【０１３１】
図３６は、第２シュータ部材２６が短縮位置に配置されたときのサイドガイド１９１とサイドガイド連動機構１９２とを示す概略図である。スライド部材１９８は、第２シュータ部材２６が短縮位置に配置されたときに、図３６に示されているように、摺動部分１９４に摺動することにより、サイドガイド１９１を回転させ、サイドガイド１９１をガイド格納位置に配置する。サイドガイド本体１９３は、サイドガイド１９１がガイド格納位置に配置されたときに、第１シュータ部材２５がシュータ格納位置に配置された場合でも、スタッカ６に接触しない程度に、第１シュータ載置面７５に対する高さが低くなるように形成されている。【０１３２】
サイドガイド連動機構１９２は、第１シュータ部材２５が展開位置に移動するときに、サイドガイド１９１をガイド展開位置に移動させる。すなわち、第２シュータ部材２６は、第１シュータ部材２５が展開位置に移動することにより、延伸位置に移動する。スライド部材１９８は、第２シュータ部材２６が延伸位置に移動することにより、サイドガイド１９１の摺動部分１９４を摺動し、摺動部分１９４から離れる。サイドガイド１９１は、スライド部材１９８が摺動部分１９４から離れたときに、ばね１９９の弾性力により回転軸１９６を中心に回転し、ガイド展開位置に配置される。【０１３３】
実施例５の媒体搬送装置は、実施例１の媒体搬送装置１と同様にして、第１シュータ部材２５が格納位置に配置されるときに、サイドガイド１９１を低くすることができる。実施例５の媒体搬送装置は、第１シュータ部材２５が格納位置に配置されるときに、サイドガイド１９１を低くすることにより、サイドガイド１９１がスタッカ６に接触することを防止し、スタッカ６が傷つくことを防止することができる。【０１３４】
既述の実施例４の媒体搬送装置のスライド部材１８６と実施例５の媒体搬送装置のスライド部材１９８とは、第２シュータ部材２６に固定されているが、第２シュータ部材２６に固定されていない他のスライド部材に置換されてもよい。【０１３５】
［スライド部材の第１変形例］
図３７は、スライド部材の第１変形例を示す概略図である。第１変形例のスライド部材２０１は、図３７に示されているように、複数の歯車２０２とラック２０３とともに設けられている。スライド部材２０１は、伸縮方向２８に平行に移動可能に第１シュータ部材２５に支持されている。複数の歯車２０２は、それぞれ、円板状に形成され、外周に複数の歯が形成されている。複数の歯車２０２は、それぞれ、互いに複数の歯が噛み合うように配置され、第１シュータ部材２５に回転可能に支持されている。複数の歯車２０２は、互いに複数の歯が噛み合っていることにより、複数の歯車２０２のうちの１つの歯車が回転するときに、全部が回転する。複数の歯車２０２のうちの１つの歯車は、減速ギア９３に噛み合っている。【０１３６】
ラック２０３は、伸縮方向２８に平行である直線に沿って配置され、スライド部材２０１に固定されている。ラック２０３は、複数の歯車２０２のうちの他の１つの歯車に噛み合っている。このため、スライド部材２０１は、第１シュータ部材２５が回転軸１２を中心に回転することに連動して伸縮方向２８に平行に移動する。【０１３７】
既述の実施例４の媒体搬送装置は、スライド部材１８６がスライド部材２０１に置換された場合でも、第１シュータ部材２５が格納位置に配置されるときに、サイドガイド１８１を低くすることができ、スタッカ６が傷つくことを防止することができる。【０１３８】
既述の実施例５の媒体搬送装置は、スライド部材１９８がスライド部材２０１に置換された場合でも、第１シュータ部材２５が格納位置に配置されるときに、サイドガイド１９１を低くすることができ、スタッカ６が傷つくことを防止することができる。【０１３９】
［スライド部材の第１変形例］
図３８は、スライド部材の第２変形例を示す概略図である。第２変形例のスライド部材２１１は、図３８に示されているように、ばね２１２とともに設けられている。スライド部材２１１は、スライド部材格納位置またはスライド部材展開位置に配置されるように、伸縮方向２８に平行に移動可能に第１シュータ部材２５に支持されている。ばね２１２は、一端がばね２１２に固定され、他端が第２シュータ部材２６に固定されている。ばね２１２は、第２シュータ部材２６が延伸位置に配置される場合で、スライド部材２１１がスライド部材展開位置に配置されるときに、自然長から延伸されるように形成されている。ばね２１２は、さらに、第２シュータ部材２６が短縮位置に配置される場合で、スライド部材２１１がスライド部材格納位置に配置されるときに、自然長から圧縮されるように形成されている。このため、スライド部材２１１は、第１シュータ部材２５が回転軸１２を中心に回転することに連動して伸縮方向２８に平行に移動する。【０１４０】
既述の実施例４の媒体搬送装置は、スライド部材１８６がスライド部材２１１に置換された場合でも、第１シュータ部材２５が格納位置に配置されるときに、サイドガイド１８１を低くすることができ、スタッカ６が傷つくことを防止することができる。【０１４１】
既述の実施例５の媒体搬送装置は、スライド部材１９８がスライド部材２１１に置換された場合でも、第１シュータ部材２５が格納位置に配置されるときに、サイドガイド１９１を低くすることができ、スタッカ６が傷つくことを防止することができる。【０１４２】
［スライド部材の第１変形例］
図３９は、スライド部材の第３変形例を示す概略図である。第３変形例のスライド部材２２１は、図３９に示されているように、連動機構２２２とともに設けられている。スライド部材２２１は、伸縮方向２８に平行に移動可能に第１シュータ部材２５に支持されている。連動機構２２２は、第１リンク２２３と第２リンク２２４と第１ばね２２５と第２ばね２２６と第１スライダ２２７と第２スライダ２２８とを備えている。第１リンク２２３は、屈曲した棒状に形成され、回転軸２２９を中心に回転可能に第１シュータ部材２５に支持されている。第２リンク２２４は、屈曲した棒状に形成され、回転軸２３０を中心に回転可能に第１シュータ部材２５に支持されている。第１ばね２２５は、第１リンク２２３が回転軸２２９を中心に図３９で時計回りに回転するように、第１リンク２２３に弾性力を与えている。第２ばね２２６は、第２リンク２２４が回転軸２３０を中心に図３９で反時計回りに回転するように、第２リンク２２４に弾性力を与えている。第１スライダ２２７は、第１リンク２２３の一端がスライド部材２２１に沿って左右方向１２３に平行に移動可能に、第１リンク２２３の一端を支持している。第２スライダ２２８は、第２リンク２２４の一端がスライド部材２２１に沿って左右方向１２３に平行に移動可能に、第２リンク２２４の一端を支持している。【０１４３】
連動機構２２２は、第１シュータ部材２５がシュータ格納位置とシュータ展開位置との間を移動するときに、スライド部材２２１を伸縮方向２８に平行に移動させる。すなわち、第２シュータ部材２６は、第１シュータ部材２５がシュータ格納位置に移動することにより、短縮位置に移動する。第１リンク２２３は、第２シュータ部材２６が短縮位置に移動することにより、第１スライダ２２７が設けられている一端の反対側の他端が第２シュータ部材２６に摺動し、回転軸２２９を中心に図３９で反時計回りに回転する。第２リンク２２４は、第２シュータ部材２６が短縮位置に移動することにより、第２スライダ２２８が設けられている一端の反対側の他端が第２シュータ部材２６に摺動し、回転軸２３０を中心に図３９で時計回りに回転する。第１スライダ２２７は、第１リンク２２３が図３９で反時計回りに回転することにより、第１リンク２２３の一端をスライド部材２２１に沿って移動させる。第２スライダ２２８は、第２リンク２２４が図３９で時計回りに回転することにより、第２リンク２２４の一端をスライド部材２２１に沿って移動させる。スライド部材２２１は、第１リンク２２３の一端と第２リンク２２４の一端とがスライド部材２２１に沿って移動することにより、第２シュータ部材２６に接近するように移動する。【０１４４】
第２シュータ部材２６は、第１シュータ部材２５がシュータ展開位置に移動することにより、延伸位置に移動する。第１リンク２２３は、第２シュータ部材２６が延伸位置に移動することにより、第１スライダ２２７が設けられている一端の反対側の他端が第２シュータ部材２６から離れる。第１ばね２２５の弾性力は、第１リンク２２３が第２シュータ部材２６から離れることにより、回転軸２２９を中心に図３９で時計回りに第１リンク２２３を回転させる。第２リンク２２４は、第２シュータ部材２６が延伸位置に移動することにより、第２スライダ２２８が設けられている一端の反対側の他端が第２シュータ部材２６から離れる。第２ばね２２６の弾性力は、第２リンク２２４が第２シュータ部材２６から離れることにより、回転軸２３０を中心に図３９で反時計回りに第２リンク２２４を回転させる。第１スライダ２２７は、第１リンク２２３が図３９で時計回りに回転することにより、第１リンク２２３の一端をスライド部材２２１に沿って移動させる。第２スライダ２２８は、第２リンク２２４が図３９で反時計回りに回転することにより、第２リンク２２４の一端をスライド部材２２１に沿って移動させる。スライド部材２２１は、第１リンク２２３の一端と第２リンク２２４の一端とがスライド部材２２１に沿って移動することにより、第２シュータ部材２６から遠ざかるように移動する。【０１４５】
既述の実施例４の媒体搬送装置は、スライド部材１８６がスライド部材２２１に置換された場合でも、第１シュータ部材２５が格納位置に配置されるときに、サイドガイド１８１を低くすることができ、スタッカ６が傷つくことを防止することができる。【０１４６】
既述の実施例５の媒体搬送装置は、スライド部材１９８がスライド部材２２１に置換された場合でも、第１シュータ部材２５が格納位置に配置されるときに、サイドガイド１９１を低くすることができ、スタッカ６が傷つくことを防止することができる。
【実施例６】
【０１４７】
実施例６の媒体搬送装置は、既述の実施例１の媒体搬送装置１のサイドガイド１２１が他のサイドガイドに置換され、サイドガイド連動機構１２２が他のサイドガイド連動機構に置換されている。図４０は、実施例６の媒体搬送装置のサイドガイド２３１とサイドガイド連動機構２３２とを示す側面断面図である。サイドガイド２３１は、図４０に示されているように、サイドガイド本体２３３と突起部分２３４とを備えている。サイドガイド本体２３３は、帯状に形成されている。突起部分２３４は、第１シュータ部材２５の内部に配置され、サイドガイド本体２３３に固定されている。サイドガイド２３１は、ガイド格納位置またはガイド展開位置に配置されるように、第１シュータ載置面７５に垂直である方向に移動可能に第１シュータ部材２５に支持されている。【０１４８】
サイドガイド連動機構２３２は、スライド部材２３６とばね２３７とくさび状部材２３８とを備えている。スライド部材２３６は、板状に形成されている。スライド部材２３６は、突起部分２３４に接触するように、第１シュータ部材２５の内部に配置され、第１シュータ載置面７５に垂直である方向に移動可能に第１シュータ部材２５に支持されている。ばね２３７は、スライド部材２３６が突起部分２３４を上方に押すように、弾性力をスライド部材２３６に与えている。くさび状部材２３８は、板状に形成され、第１シュータ部材２５の内部に配置され、第２シュータ部材２６に固定されている。くさび状部材２３８は、さらに、第２シュータ部材２６から遠い側の端に近付くにつれ、薄くなるように形成されている。サイドガイド連動機構２３２は、図示されていないばねをさらに備えている。そのばねは、サイドガイド本体２３３の第１シュータ載置面７５に対する高さが低くなるように、弾性力をサイドガイド本体２３３に与えている。【０１４９】
サイドガイド連動機構２３２は、第１シュータ部材２５がシュータ格納位置に配置されることにより、サイドガイド２３１をガイド格納位置に配置する。すなわち、第２シュータ部材２６は、第１シュータ部材２５がシュータ格納位置に移動することにより、短縮位置に移動する。くさび状部材２３８は、第２シュータ部材２６が短縮位置に移動することにより、スライド部材２３６と第１シュータ部材２５の内壁との間に挿入される。スライド部材２３６は、くさび状部材２３８がスライド部材２３６と第１シュータ部材２５の内壁との間に挿入されることにより、第１シュータ部材２５の内壁から離れる。サイドガイド２３１は、スライド部材２３６が第１シュータ部材２５の内壁から離れたときに、突起部分２３４がスライド部材２３６により押されなくなる。サイドガイド２３１は、突起部分２３４が押されなくなることにより、第１シュータ載置面７５に対する高さが低くなるようにばねの弾性力により移動する。【０１５０】
サイドガイド連動機構２３２は、第１シュータ部材２５がシュータ展開位置に配置されることにより、サイドガイド２３１をガイド展開位置に配置する。すなわち、第２シュータ部材２６は、第１シュータ部材２５がシュータ展開位置に移動することにより、延伸位置に移動する。くさび状部材２３８は、第２シュータ部材２６が延伸位置に移動することにより、スライド部材２３６と第１シュータ部材２５の内壁との間から外される。ばね２３７は、くさび状部材２３８がスライド部材２３６と第１シュータ部材２５の内壁との間から外されることにより、スライド部材２３６が突起部分２３４を押すように弾性力をスライド部材２３６に与える。サイドガイド２３１は、ばね２３７から弾性力がスライド部材２３６に与えられることにより、突起部分２３４がスライド部材２３６により上方に押され、第１シュータ載置面７５に対する高さが高くなる。【０１５１】
実施例６の媒体搬送装置は、実施例１の媒体搬送装置１と同様にして、第１シュータ部材２５が格納位置に配置されるときに、サイドガイド２３１を低くすることができる。実施例６の媒体搬送装置は、第１シュータ部材２５が格納位置に配置されるときに、サイドガイド２３１を低くすることにより、サイドガイド２３１がスタッカ６に接触することを防止し、スタッカ６が傷つくことを防止することができる。【０１５２】
ところで、既述の実施例の媒体搬送装置は、シュータ３に設けられているサイドガイドの高さを変更しているが、シュータ３と異なる載置台に設けられるサイドガイドの高さを変更してもよい。
【実施例７】
【０１５３】
図４１は、実施例７の媒体搬送装置２４１を示す斜視図である。媒体搬送装置２４１は、図４１に示されているように、本体２４２とシュータ２４３とスタッカ２４４とを備えている。本体２４２は、シュータ２４３に載置される原稿をピックし、原稿の画像を読み取り、画像が読み取られた原稿をスタッカ２４４に載置する。シュータ２４３は、短縮され、本体２４２の上部に格納することができる。スタッカ２４４は、サイドガイド２４５を備えている。サイドガイド２４５は、スタッカ２４４のうちの原稿が載置されるスタッカ載置面２４６から突出するように配置されている。【０１５４】
図４２は、シュータ２４３とスタッカ２４４とが格納されたときの実施例７の媒体搬送装置２４１を示す斜視図である。図４３は、シュータ２４３とスタッカ２４４とが格納されたときの実施例７の媒体搬送装置２４１を示す斜視断面図である。スタッカ２４４は、回転可能に本体２４２に支持され、図４２に示されているように、本体２４２の上部に格納することができる。スタッカ２４４は、本体２４２の上部に格納されるときに、図４３に示されているように、スタッカ載置面２４６が本体２４２に対向するように、配置される。サイドガイド２４５は、既述の実施例の媒体搬送装置のサイドガイドと同様にして、スタッカ２４４が格納されたときに、高さが低くなるように形成されている。サイドガイド２４５は、さらに、高さが低くなっている場合で、スタッカ２４４が格納されたときに、本体２４２に接触しない程度に低くなるように、形成されている。【０１５５】
実施例７の媒体搬送装置２４１は、スタッカ２４４が格納されたときに、サイドガイド２４５の高さが低くなるように形成されていることにより、サイドガイド２４５が本体２４２に接触することを防止し、本体２４２が傷つくことを防止することができる。【０１５６】
ところで、既述のサイドガイドは、原稿の斜行を防止することに利用されているが、原稿が斜行以外に移動することを規制する他のガイドとして利用されてもよい。そのガイドとしては、スタッカ６に載置される原稿がスタッカ６からはみ出さないように原稿の移動を規制するガイドが例示される。このようなガイドを備える媒体搬送装置も、既述の媒体搬送装置と同様にして、ガイドが本体に接触しないように高さを変更することにより、本体が傷つくことを防止することができる。【０１５７】
ところで、既述の媒体搬送装置は、画像読取装置として利用されているが、他の装置として利用されてもよい。その装置としては、プリンタが例示される。このとき、媒体搬送装置は、プリンタとして利用されるときに、読取装置３２が印刷装置に置換される。媒体搬送装置は、画像読取装置と異なる装置として利用された場合でも、載置台が格納位置に配置されるときに、サイドガイドを低くすることにより、サイドガイドが本体に接触することを防止し、本体が傷つくことを防止することができる。
【符号の説明】
【０１５８】
１    ：媒体搬送装置
２    ：筐体
３    ：シュータ
２５  ：第１シュータ部材
２６  ：第２シュータ部材
２７  ：第３シュータ部材
３１  ：搬送装置
３２  ：読取装置
８１  ：第１連動機構
８２  ：第２連動機構
１２１：サイドガイド
１２２：サイドガイド連動機構
１２５：ばね
１２６：錘
１２９：端
１３１：サイドガイド連動機構
１５１：サイドガイド
１６１：サイドガイド
１７０：スライド部材
１８１：サイドガイド
１８２：サイドガイド連動機構
１９１：サイドガイド
１９２：サイドガイド連動機構
１９８：スライド部材
２０１：スライド部材
２１１：スライド部材
２２１：スライド部材
２３１：サイドガイド
２３２：サイドガイド連動機構
２３６：スライド部材
２３８：くさび状部材
２４１：媒体搬送装置
２４２：本体
２４３：シュータ
２４４：スタッカ
２４５：サイドガイド
【図１】
2018131117.tif 000003
【図２】
2018131117.tif 000004
【図３】
2018131117.tif 000005
【図４】
2018131117.tif 000006
【図５】
2018131117.tif 000007
【図６】
2018131117.tif 000008
【図７】
2018131117.tif 000009
【図８】
2018131117.tif 000010
【図９】
2018131117.tif 000011
【図１０】
2018131117.tif 000012
【図１１】
2018131117.tif 000013
【図１２】
2018131117.tif 000014
【図１３】
2018131117.tif 000015
【図１４】
2018131117.tif 000016
【図１５】
2018131117.tif 000017
【図１６】
2018131117.tif 000018
【図１７】
2018131117.tif 000019
【図１８】
2018131117.tif 000020
【図１９】
2018131117.tif 000021
【図２０】
2018131117.tif 000022
【図２１】
2018131117.tif 000023
【図２２】
2018131117.tif 000024
【図２３】
2018131117.tif 000025
【図２４】
2018131117.tif 000026
【図２５】
2018131117.tif 000027
【図２６】
2018131117.tif 000028
【図２７】
2018131117.tif 000029
【図２８】
2018131117.tif 000030
【図２９】
2018131117.tif 000031
【図３０】
2018131117.tif 000032
【図３１】
2018131117.tif 000033
【図３２】
2018131117.tif 000034
【図３３】
2018131117.tif 000035
【図３４】
2018131117.tif 000036
【図３５】
2018131117.tif 000037
【図３６】
2018131117.tif 000038
【図３７】
2018131117.tif 000039
【図３８】
2018131117.tif 000040
【図３９】
2018131117.tif 000041
【図４０】
2018131117.tif 000042
【図４１】
2018131117.tif 000043
【図４２】
2018131117.tif 000044
【図４３】
2018131117.tif 000045
【国際調査報告】
2018131117.tif 000046
2018131117.tif 000047
2018131117.tif 000048
2018131117.tif 000049